(57)【要約】  本発明は、リアウィンドウ及びサイドウィンドウ又はウィンドシールドから選択される、外部光シグナリング乗り物グレージング（１００）に関し、これが、下記を有する：外部グレージングを形成しかつＦ１面及びＦ２面と呼ばれる第１及び第２主面（１１’、１２’）を有する第１グレージング（１’）；表面的な発光性素子、例えば、ＯＬＥＤ、又はＱＬＥＤ；１若しくは複数の光学フィルムを有するホログラフィックリダイレクション光学システム、又はコリメーション光学システム及びこれに続く１若しくは複数の光学フィルムを有するリダイレクション光学システム。【選択図】図２
2021504911.tif 000002
【特許請求の範囲】
【請求項１】
サイドウィンドウ、リアウィンドウ又はウィンドシールド、特には自動車（１００）のサイドウィンドウ、リアウィンドウ又はウィンドシールドから選択され、下記を有する、外部発光性シグナリング乗り物グレージング：
−  透明第１グレージング（１）、これは、無機又は有機ガラスでできており、Ｆ１面及びＦ２面と呼ばれる主面（１１、１２）、及び端部面（１０）、並びにいわゆる参照方向を有する、
−  前記２面の側にあり外部シグナリング光を照射することができる、光源（３）、前記光源は、前記Ｆ２面に面している出口表面を有する、
前記グレージングは、下記を特徴とする：
前記光源が、エレクトロルミネッセント素子であり、これが、少なくとも５ｃｍの長さ及び少なくとも１ｃｍの幅の照射領域を有し、好ましくは、１ｍｍ以下の厚みＥ０を有し、５０°〜７０°の照射半頂角、及び、前記エレクトロルミネッセント素子の平面に対して垂直な主照射方向を、有すること、
１つの構成において、前記グレージングが、前記エレクトロルミネッセント素子に面して、Ｆ２面と前記エレクトロルミネッセント素子との間に、コリメーション光学素子（５ａ、５ｂ）を有し、これが、出口表面の側の後方面、及び、前記後方面とは反対側のコリメーション面と呼ばれる前方面を、有すること、
透明材料でできている前記コリメーション光学素子が、好ましくは１ｍｍ以下の厚みを有し、光学フィルム又は一組の光学フィルムを有し、それぞれの光学フィルムが、前記出口表面とは反対側の前方面に、頂部Ｓ及び１０μｍ〜５００μｍの頂部間の周期Ｔを有する特徴構造の配列を有すること、
前記コリメーション光学素子が、下記を有すること：
（ａ）二次元である前記特徴構造の配列を有する、第１の光学フィルム、
（ｂ）又は、前記出口表面から出発して以下の順番で下記を有する、プリズム状である一組の少なくとも２つの光学フィルム、好ましくは最大で２つのプリズム状光学フィルム：
−  長さ方向に第１軸に沿って延在しているプリズムである前記特徴構造の配列を有する、第１光学フィルム、
−  及び、前記第１光学フィルムに面しており、長さ方向に第２軸に沿って延在しているプリズムである第２の前記特徴構造の配列を有する、第２光学フィルム、この第２軸は、前記第１軸に対して９０°±１０°の角度を形成し、前記第１軸若しくは前記第２軸は、前記参照方向に対して最大１０°の角度を形成し、さらには平行である、
（ｃ）又は、プリズムである前記特徴構造の配列を有する、単層の第１光学フィルム、このプリズムの配列は、長さ方向に、前記参照方向に対して最大１０°の角度を形成しておりさらには平行である軸に沿って延在している、
前記（ａ）に関して、それぞれの前記二次元の特徴構造が、側方面によって規定され、かつ、前記フィルムに対して垂直な平面Ｐにおいて、それぞれの前記二次元の特徴構造が、６０°〜１１０°の範囲の頂角を有し、前記側方面と前記平面Ｐとのそれぞれの交差部が、前記光学フィルムの平面と、３０°〜５５°の範囲の角度を形成していること、
前記（ｂ）及び前記（ｃ）に関して、それぞれのプリズムが、２つの長さ方向面によって規定され、それぞれのプリズムが、６０°〜１１０°の範囲の頂角を有し、かつ、それぞれの前記長さ方向面が、前記プリズム状の光学フィルムの平面に対して、３０°〜５５°の範囲の角度を形成していること、
前記グレージングが、前記コリメーション光学素子に面して、前記コリメーション光学素子と前記Ｆ２面との間に、透明材料でできているリダイレクション光学素子（５）を有し、これが、リダイレクション光学フィルム又は一組のリダイレクション光学フィルムを有し、それぞれのフィルムが、前記出口表面とは反対側の前方面に、頂部及び１０μｍ〜５００μｍの頂部間の周期Ｔ’を有する非対称プリズムの配列を有すること、
前記リダイレクション光学素子が、下記を有すること：
（ｉ）前記参照方向に対して最大１０°の角度を形成しておりさらには平行である第３軸に沿って長さ方向に延在している一組の非対称プリズムを有する、第１非対称光学フィルム、
（ｊ）又は、プリズム状であり、前記出口表面から出発して、下記を下記の順番で有する、一組の２つの非対称光学フィルム：
−  前記参照方向に対して最大１０°の角度を形成している第３軸に沿って長さ方向に延在している一組の非対称プリズムを有する、第１非対称光学フィルム、
−  及び、前記第１非対称光学フィルムに面しており、前記プリズム状の特徴構造の第２の配列を有している、第２非対称光学フィルム、前記第２の配列の一組のプリズムが、前記第３軸に対して最大１０°の角度を形成している第４軸に沿って長さ方向に延在しており、かつ／又は、前記第４軸が、前記グレージングの前記参照方向と、最大１０°の角度を形成している、
前記（ｉ）又は（ｊ）に関して、それぞれの非対称プリズムが、第１及び第２長さ方向面によって規定され、それぞれのプリズムが、５０°〜６０°の範囲の頂角を形成し、かつ、長面と呼ばれる第１長さ方向面が、前記非対称光学フィルムの平面に対して、３１°〜４１°の範囲の角度を形成していること、
−  前記リアウィンドウ又は前記ウィンドシールドに関して、前記参照方向が、前記リアウィンドウ又は前記ウィンドシールドの平面における水平であり、
−  前記サイドウィンドウに関して、前記参照方向が、前記サイドウィンドウの平面における水平に対して垂直であり、
−  前記Ｆ２面に向いている前記長面に対する垂直が、前記リアウィンドウ又は前記ウィンドシールドの表面に向いており、又は、前記サイドウィンドウの前方に向いていること、
並びに、
−  空気が、前記出口表面と、前記コリメーション光学素子の前記第１光学フィルムの前記入口表面との間にあること、
−  前記（ｂ）及び前記（ｃ）に関して、空気が、前記コリメーション光学素子の前記前方面の前記プリズムの間にあること、
−  前記（ａ）に関して、前記二次元特徴構造が、くぼんでおり、前記二次元特徴構造の配列が、キャビティの配列であり、前記頂部Ｓが、前記Ｆ２面とは反対の側に向いており、それぞれの前記キャビティの上方表面が、前記非対称プリズム状フィルムから離れており、若しくはそれと物理的に接触しており、空気が、前記キャビティの中にあること、又は、前記二次元特徴構造が、隆起しており、それぞれの前記前方面の前記二次元特徴構造の前記頂部が、前記非対称プリズム状フィルムから離れており、若しくはそれと物理的に接触しており、空気が、前記二次元特徴構造の間にあること、
−  空気が、前記非対称プリズムの間にあり、前記非対称プリズム状フィルムの最終前方面が、透明要素から離れており、又はそれと物理的に接触しており、この透明要素が、前記第１グレージングとは異なり、又は前記第１グレージングに対応すること、
又は、代替的な構成において、前記グレージングが、前記出口表面に面して、ホログラフィックリダイレクション光学素子を有し、これが、特には透明材料でできており、前記ホログラフィックリダイレクション光学素子が、前記Ｆ２面に向いている前方面、及び、反対側の後方面を有し、前記ホログラフィックリダイレクション光学素子が、前記前方面に、ホログラフィック特徴構造の配列を有するフィルムを有し、かつ、空気が、前記出口表面と、前記ホログラフィックリダイレクション光学素子の前記入口表面との間にあり、かつ、空気が、前記ホログラフィックリダイレクション光学素子の前記前方面の隆起しているホログラフィック特徴構造の間にあり、若しくは、空気が、前記ホログラフィックリダイレクション光学素子の前記前方面のくぼんでいるホログラフィック特徴構造の間にあり、前記ホログラフィックリダイレクションフィルムの前記前方面が、透明要素から離れており、又はそれと物理的に接触しており、この透明要素が、前記第１グレージングとは異なり、又は、前記第１グレージングに対応すること。
【請求項２】
下記であることを特徴とする、請求項１に記載の外部発光性シグナリング乗り物グレージング：
−  前記リアウィンドウに関して、前記光源が、好ましくは、レッドを照射し、特には、前記光源及び前記コリメーション光学素子及び非対称リダイレクション光学素子が、（第３の）停止ライトを形成し、又は、前記光源及び前記ホログラフィックリダイレクション光学素子が、一緒に、（第３の）停止ライトを形成すること、
−  又は、前記リアウィンドウ若しくは前記ウィンドシールドに関して、前記光源が、好ましくは、イエローを照射し、特には、前記光源及び前記コリメーション光学素子及び非対称リダイレクション光学素子が、インジケータライト、例えば矢印の形状のインジケータライトを形成し、又は、前記光源及び前記ホログラフィックリダイレクション光学素子からなるアセンブリが、インジケータライト、例えば矢印の形状のインジケータライトを、形成すること、
−  並びに／又は、前記リアウィンドウ若しくは前記ウィンドシールドに関して、前記光源が、ピクトグラムであり、特には、警告ピクトグラムであり、例えば、ハザード警告ライトであり、若しくは、安全距離に関する情報を提供すること。
【請求項３】
下記であることを特徴とする、請求項１又は２に記載の外部発光性シグナリング乗り物グレージング：
前記グレージングが、複数のエレクトロルミネッセント素子、特には複数のＯＬＥＤ又はＴＦＥＬ又はＱＬＥＤを有し、それぞれの素子が、前記ホログラフィックリダイレクション光学素子を有し、又は、前記コリメーション光学素子及び前記非対称リダイレクション光学素子からなるアセンブリを有し、前記光源が、特には、前記リアウィンドウの上部境界部にある。
【請求項４】
下記であることを特徴とする、請求項１〜３のいずれか一項に記載の外部発光性シグナリング乗り物グレージング：
前記サイドウィンドウに関して、これが、デフレクターとして固定されており、前記光源が、イエローを照射し、特には、前記光源及び前記コリメーション光学素子及び前記非対称リダイレクション光学素子からなるアセンブリが、サイドリピーターを形成し、又は、前記光源及び前記ホログラフィックリダイレクション光学素子からなるアセンブリが、サイドリピーターを形成する。
【請求項５】
下記であることを特徴とする、請求項１〜４のいずれか一項に記載の外部発光性シグナリング乗り物グレージング：
前記プリズム又は前記二次元特徴構造及び好ましくは非対称プリズムが、連続的であり、又は本質的に連続的である。
【請求項６】
下記であることを特徴とする、請求項１〜５のいずれか一項に記載の外部発光性シグナリング乗り物グレージング：
前記光学フィルム又はそれぞれの光学フィルムが、プラスチックフィルムであり、このフィルムが、その厚みにおいて、部分的にテクスチャ化されている。
【請求項７】
下記であることを特徴とする、請求項１〜６のいずれか一項に記載の外部発光性シグナリング乗り物グレージング：
前記エレクトロルミネッセント素子が、有機発光ダイオード、すなわちいわゆるＯＬＥＤであり、特には、透明有機発光ダイオード（ＴＯＬＥＤ）であり、又は、量子ドット発光ダイオードであり、すなわち、いわゆるＱＬＥＤである。
【請求項８】
下記であることを特徴とする、請求項１〜７のいずれか一項に記載の外部発光性シグナリング乗り物グレージング：
特には前記ＯＬＥＤに関して、前記グレージングが、カラーフィルターを有しており、特には、１ｍｍ以下の厚みのプラスチックフィルムであるカラーフィルターを有しており、これが、下記の場所にある：
−  前記出口表面と、前記コリメーション光学素子特には前記第１光学フィルムの前記後方面との間、
又は、
−  前記出口表面と、前記ホログラフィックリダイレクション光学素子特には前記光学フィルムの前記後方面との間、
又は、
−  前記リダイレクション光学素子と、積層中間層との間、この場合、前記フィルターが、保護フィルムを形成する。
【請求項９】
下記であることを特徴とする、請求項１〜８のいずれか一項に記載の外部発光性シグナリング乗り物グレージング：
前記エレクトロルミネッセント素子が、キャリアを有する背面発光ＯＬＥＤであり、このキャリアが、前記Ｆ２面とは反対の側に、前記キャリアから出発して、下記を、下記の順番で担持している：随意の機能性サブ層、透明アノード、有機エレクトロルミネッセントシステム、反射性カソード。
【請求項１０】
下記であることを特徴とする、請求項１〜９のいずれか一項に記載の外部発光性シグナリング乗り物グレージング：
前記第１グレージングが、湾曲しており、かつ、前記エレクトロルミネッセント素子、特にはＯＬＥＤ又はＱＬＥＤが、可とう性である。
【請求項１１】
下記であることを特徴とする、請求項１〜１０のいずれか一項に記載の外部発光性シグナリング乗り物グレージング：
前記グレージングが、前記エレクトロルミネッセント素子を電気的に接続するための要素を有し、この要素が、前記エレクトロルミネッセント素子に結合しており、かつ、前記第１グレージングの前記端部面を超えて延在している。
【請求項１２】
下記であることを特徴とする、請求項１〜１１のいずれか一項に記載の外部発光性シグナリング乗り物グレージング：
前記コリメーション光学素子が、前記エレクトロルミネッセント素子に、その後方面を介して、好ましくは、特には透明である接着性物質によって、前記出口表面の、さらには照射面の、周縁部において、固定されていること、
及び、
前記非対称リダイレクション光学素子が、前記コリメーション光学素子の前記最終前方面の周縁部に、特には、好ましくは透明である接着性物質によって、固定されていること、又は、前記ホログラフィックリダイレクション光学素子が、その後方面を介して、前記エレクトロルミネッセント素子に、前記出口表面の、さらには照射面の、周縁部において、好ましくは、特には透明である接着性物質によって、固定されていること。
【請求項１３】
下記を有する積層グレージングを有することを特徴とする、請求項１〜１２のいずれか一項に記載の外部発光性シグナリング乗り物グレージング：
−  前記第１透明グレージング（１）、
−  第２透明グレージング（１‘）、これは、無機又は有機ガラスでできており、Ｆ３面及びＦ４面と呼ばれる主面（１３、１４）を有する、
−  前記積層グレージングの内部面である、前記Ｆ２面と前記Ｆ３面との間にある、透明積層中間層（２、２０）、これは、随意に着色されておりかつ／又は随意にその厚みにおいて複合体であり、ポリマー材料でできており、前記積層中間層フィルムは、前記Ｆ３面の側の主面ＦＡ、及び前記Ｆ２面の側の主面ＦＢを有し、前記ＦＡ面が、前記Ｆ３面と接着的な接触を形成しており、かつ、前記ＦＢ面が、前記Ｆ２面と接着的な接触を形成しており、前記エレクトロルミネッセント素子が、前記Ｆ２面と前記Ｆ３面との間にあり、好ましくは、前記コリメーション光学素子及び前記非対称リダイレクション光学素子が、前記Ｆ２面と前記Ｆ３面との間にあり、若しくは、前記ホログラフィック非対称リダイレクション光学素子が、前記Ｆ２面と前記Ｆ３面との間にあり、又は、前記エレクトロルミネッセント素子が、前記Ｆ４面にあり、好ましくは、前記ホログラフィックリダイレクション光学素子が、前記Ｆ４面の側にあり、若しくは、好ましくは、前記コリメーション光学素子及び前記非対称リダイレクション光学素子が、前記Ｆ４面の側にある。
【請求項１４】
下記であることを特徴とする、請求項１〜１３のいずれか一項に記載の外部発光性シグナリング乗り物グレージング：
前記随意のホログラフィックリダイレクション光学素子又は前記非対称リダイレクション光学素子が、前記最終前方面の周縁部において、前記透明要素に、押し付けられており、又は固定されており、特には、好ましくは透明である接着性物質によって、固定されており、前記透明要素が、例えば、積層グレージングのＦ２面又はＦ４面であり、この積層グレージングが、無機又は有機ガラス製である第２透明グレージング（１’）を有し、Ｆ３面及びＦ４面と呼ばれる主面（１３、１４）を有する。
【請求項１５】
下記を有する積層グレージングを有することを特徴とする、請求項１〜１２のいずれか一項に記載の外部発光性シグナリング乗り物グレージング：
−  前記第１透明グレージング（１）、
−  第２透明グレージング（１‘）、これは、無機又は有機ガラスでできており、Ｆ３面及びＦ４面と呼ばれる主面（１３、１４）を有する、
−  前記積層グレージングの内部面である前記Ｆ２面と前記Ｆ３面との間にある、透明積層中間層（２）、これは、好ましくは、ＰＶＢ製であり、随意に着色されておりかつ／又は随意にその厚みにおいて複合体であり、ポリマー材料でできており、前記積層中間層フィルムが、前記Ｆ３面の側の主面ＦＡ、及び前記Ｆ２面の側の主面ＦＢを有し、前記ＦＡ面が、前記Ｆ３面と接着的な接触を形成しており、前記ＦＢ面が、前記Ｆ２面と接着的な接触を形成しており、前記コリメーション光学素子が、前記エレクトロルミネッセント素子よりも大きく、かつ、その周縁部において、前記積層中間層に、固定されており、好ましくは、特には透明である接着性物質によって、接着的に結合しており、又は、その周縁部において、その後方面を介して、接着的な接触を形成しており、随意に、前記非対称リダイレクション光学素子が、前記エレクトロルミネッセント素子よりも大きく、かつ、その周縁部において、その後方面を介して、前記コリメーション光学素子に、固定されており、好ましくは、特には透明である接着性物質によって、接着的に結合している、
−又は、前記コリメーション光学素子が、その周縁部において、前記出口表面に、固定されており、好ましくは、特には透明である接着性物質によって、接着的に結合しており、かつ、前記非対称リダイレクション光学素子が、前記エレクトロルミネッセント素子より大きく、かつ、その周縁部において、前記積層中間層に、固定されており、好ましくは、特には透明である接着性物質によって、接着的に結合しており、若しくは、その周縁部において、その後方面を介して、前記積層中間層と、接着的な接触を形成しており、
又は、前記ホログラフィックリダイレクション光学素子が、前記エレクトロルミネッセント素子よりも大きく、その周縁部において、前記積層中間層に、固定されており、好ましくは、特には透明である接着性物質によって、接着的に結合しており、若しくは、その周縁部において、その後方面を介して、前記積層中間層と、接着的な接触を形成している。
【請求項１６】
下記であることを特徴とする、請求項１〜１５のいずれか一項に記載の外部発光性シグナリング乗り物グレージング：
前記Ｆ２面が、自由であり、前記グレージングが、単層であり、前記非対称又はホログラフィックリダイレクション光学素子が、前記Ｆ２面にあり、又は、前記グレージングが積層されている場合には、前記エレクトロルミネッセント素子が、自由な前記Ｆ４面の側にあること：
前記随意のホログラフィックリダイレクション光学素子が、その周縁部において、その後方面を介して、前記エレクトロルミネッセント素子に、固定されており、好ましくは、接着的に結合しており、特には、好ましくは透明である接着性物質によって前記出口表面の周縁部に固定されており、
又は、前記コリメーション光学素子が、その周縁部において、その後方面を介して、前記エレクトロルミネッセント素子に、固定されており、好ましくは接着的に結合しており、特には、好ましくは透明である接着性物質によって、前記出口表面の周縁部において、固定されていること、
並びに／又は、
前記エレクトロルミネッセント素子及び前記コリメーション光学素子及び前記非対称リダイレクション光学素子からなるアセンブリ、若しくは、前記エレクトロルミネッセント素子及び前記ホログラフィックリダイレクション光学素子からなるアセンブリが、自由な前記Ｆ４面若しくはＦ２面に、保護後方フィルムを介して、固定されており、好ましくは接着的に結合されており、前記保護後方フィルムは、前記エレクトロルミネッセント素子の前記入口表面にあり、自由な前記Ｆ４面若しくは前記Ｆ２面に延在している突出固定部分を、有する。
【請求項１７】
下記であることを特徴とする、請求項１３に記載の外部発光性シグナリング乗り物グレージング：
前記ホログラフィックリダイレクション光学素子又は前記コリメーション光学素子及び好ましくは前記ダイレクション光学素子が、前記Ｆ２面と前記Ｆ３面との間にあり、前記エレクトロルミネッセント素子が、前記Ｆ２面と前記Ｆ３面との間にあり、前記エレクトロルミネッセント素子を有する区域において、前記ＦＡ面が、前記Ｆ３面と、又は前記出口表面の側と、接着的な接触を形成しており、前記ＦＢ面が、前記Ｆ２面と接着的な接触を形成しており、前記透明要素が、プラスチック保護フィルムであり、前記最終前方面にあり、前記Ｆ２面の方に向いている面を有し、前記積層中間層と接着的な接触を形成しており、前記保護プラスチックフィルムが、局所的であり、随意に、前記最終前方面の端部を超えて最大１０ｃｍ延在しているいわゆる延長区域を有している。
【請求項１８】
下記であることを特徴とする、請求項１４〜１８のいずれか一項に記載の外部発光性シグナリング乗り物グレージング：
前記積層中間層が、複合体であり、かつ、前記エレクトロルミネッセント素子の区域の外において、下記のスタックを有すること：ＰＶＢ／前記Ｆ２面又は前記Ｆ３面の側における随意の導電性機能性コーティングを有する機能性プラスチックフィルム／ＰＶＢ、前記機能性プラスチックフィルムは、前記Ｆ２面を超えて延在している、
及び、
前記エレクトロルミネッセント素子が、前記Ｆ２面と前記Ｆ３面との間にあり、前記前方面と前記Ｆ３面との間に、前記プラスチックフィルム／前記ＰＶＢが存在し、前記透明要素が、前記前方面における前記機能性プラスチックフィルムである。
【請求項１９】
下記であることを特徴とする、請求項１２〜１８のいずれか一項に記載の外部発光性シグナリング乗り物グレージング：
前記積層中間層が、音響ＰＶＢを有し、かつ／又は、着色されており、前記積層中間層が、特には、ＰＶＢであり、その厚みにおいて少なくとも部分的に着色されており、着色されている部分が、少なくとも、前記エレクトロルミネッセント素子と前記Ｆ３面との間にある。
【請求項２０】
下記であることを特徴とする、請求項１３〜１９のいずれか一項に記載の外部発光性シグナリング乗り物グレージング：
前記エレクトロルミネッセント素子が、前記積層中間層の開口部に収容されており、好ましくは、前記コリメーション光学素子及び前記リダイレクション光学素子が、前記開口部に収容されており、又は、前記ホログラフィックリダイレクション光学素子が、前記開口部に収容されており、前記開口部が、ふさぎ開口部であり、前記Ｆ３面の方向に底部を有しており前記Ｆ２面に開いており、又は、いわゆる内部開口部が、前記積層中間層の厚みの中にあり、かつ、前記透明要素が、前記内部開口部に収容されている保護フィルムであり、又は、前記内部開口部よりも大きく、前記内部開口部を覆っている。
【請求項２１】
請求項１〜２０のいずれか一項に記載の発光性グレージングを少なくとも１つ有する乗り物。
【請求項２２】
下記を含むことを特徴とする、請求項１〜２０のいずれか一項に記載の外部発光性シグナリング乗り物グレージングを製造するための方法：
前記第１グレージングにおける設置の前に、前記エレクトロルミネッセント素子に、特にはその出口表面に：
−  フィルムに基づいているコリメーション光学素子を、特には周縁的な固定によって、さらには、随意に封止を形成する周縁的な接着性結合によって、事前に取り付けること、さらには、フィルムに基づいている非対称リダイレクション光学素子を、特には周縁的な固定によって、さらには、随意に封止を形成する周縁的な接着性結合によって、事前に取り付けること、
−  又は、フィルムに基づいているホログラフィックリダイレクション光学素子を、特には周縁的な固定によって、さらには、随意に封止を形成する周縁的な接着性結合によって、事前に取り付けること、
−  随意に、随意に着色されている保護フィルムを、最後のリダイレクション光学フィルムの上に、特には周縁的な固定によって、さらには、随意に封止を形成する周縁的な接着性結合によって、事前に取り付けること。
【請求項２３】
下記の工程を含むことを特徴とする、請求項１３〜２０のいずれか一項に記載の外部発光性シグナリング乗り物グレージングを製造するための方法：
−  前記エレクトロルミネッセント素子を、開口部を有しない積層中間層に、又は、貫通若しくはふさぎ開口部に、配置すること、かつ、同時に又は別個に、前記コリメーション光学素及び非対称リダイレクション光学素子若しくはホログラフィックリダイレクション光学素子を、前記エレクトロルミネッセント素子に面して配置すること、
並びに、逐次的に：
−  このアセンブリを、前記第１と前記第２グレージングとの間に配置し設置すること、
−  真空下でかつ加熱を伴って、又はさらには圧力下で、積層すること。
【請求項２４】
下記であることを特徴とする、請求項２２又は２３に記載の、外部発光性シグナリング乗り物グレージングを製造する方法：
前記エレクトロルミネッセント素子を、前記積層中間層シートにおいて、入口表面側で、貫通又はふさぎ開口部の中に配置すること、前記ホログラフィックリダイレクション光学素子若しくは前記コリメーション光学素子若しくはさらには前記非対称リダイレクション光学素子を、前記開口部に収容し、かつ、前記出口表面の周縁部において、固定すること、好ましくは接着的に結合させること、又は、前記非対称若しくは前記ホログラフィックリダイレクション光学素子で、前記開口部を塞ぎ、かつ、前記非対称若しくは前記ホログラフィックリダイレクション光学素子を前記積層中間層に配置すること。
【請求項２５】
下記を含むことを特徴とする、請求項２２〜２４のいずれか一項に記載の、外部発光性シグナリング乗り物グレージングを製造する方法：
前記配置の前に、随意に着色されている、局所的な保護フィルムを、前記ホログラフィックリダイレクション光学素子又は前記非対称リダイレクション光学素子の最終前方面に、特には周縁的な接着性結合によって、固定すること、及び、前記配置の間に、前記積層中間層が、前記局所的な保護フィルムを収容するふさぎ穴部を有し、又は前記積層中間層が、貫通穴部を有し、別の積層中間層で、この穴部を閉じること。
【請求項２６】
下記であることを特徴とする、請求項２２〜２５のいずれか一項に記載の、外部発光性シグナリング乗り物グレージングを製造する方法：
前記積層中間層が、前記エレクトロルミネッセント素子、前記コリメーション光学素子、及び前記非対称リダイレクション光学素子、又は、前記エレクトロルミネッセント素子及び前記ホログラフィックリダイレクション光学素子を収容する貫通穴部を有すること、
並びに、
前記穴部を閉じ、随意に着色されている、保護フィルム、及び、前記保護フィルムを覆う別の中間層シートを、配置すること、前記他のシートは、随意に、既に、前記局所的なカバーフィルム又は保護フィルムと、接着的な接触を形成している。
【請求項２７】
前記エレクトロルミネッセント素子の区域の外において、加熱及び圧力によって、下記の場所に、ポイント接着性接触を形成することを含むことを特徴とする、請求項２２〜２６のいずれか一項に記載の、外部発光性シグナリング乗り物グレージングを製造する方法：
−  前記中間層シートと、入口表面の側の、後方中間層シートと呼ばれる、別の中間層シートとの間、及び／又は、前記中間層シートと、出口表面の側の、前方中間層シートと呼ばれる、別の中間層シートとの間、
並びに／又は、
−  前記コリメーション光学素子と、前記非対称リダイレクション光学素子との間、若しくは、前記ホログラフィックリダイレクション光学素子と、前記中間層シート若しくは前記別の中間層シートとの間、
前記エレクトロルミネッセント素子さらにはコリメーション光学素子及び非対称リダイレクション光学素子、若しくは、前記エレクトロルミネッセント素子及び前記ホログラフィックリダイレクション光学素子が、前記中間層シートのうちの１つの貫通若しくはふさぎ穴部の中にあり、かつ／又は、前記エレクトロルミネッセント素子さらには前記コリメーション光学素子及び前記非対称リダイレクション光学素子、若しくは前記エレクトロルミネッセント素子及び前記ホログラフィックリダイレクション光学素子が、前記中間層シートと、他の中間層シートの前方若しくは後方との間に、挟まれている。
【発明の詳細な説明】
【技術分野】
【０００１】
本発明は、外部発光性シグナリング乗り物グレージング、そのようなグレージングを有する乗り物、及び、そのようなグレージングの製造に関する
【背景技術】
【０００２】
外部発光性シグナリング乗り物グレージングが、益々一般的になっている。特に、Ｆ２面と呼ばれる内部面に照明ユニットを配置し、それによって第３停止ライトを形成することが一般的である。
【発明の概要】
【発明が解決しようとする課題】
【０００３】
統合及び製造の過程を改善することができる。
【課題を解決するための手段】
【０００４】
この目的のために、本出願の第一の主題は、特には自動車又はさらには公共輸送乗り物の、リアウィンドウ（後方ウィンドウ、バックウィンドウ）及び（好ましくは固定されている、デフレクター）サイドウィンドウから選択され、又はウィンドシールドである、外部発光性シグナリング乗り物グレージングであり、これは、下記を有する：
−  透明第１グレージング、このグレージングは、随意にクリア又は超クリアである無機物質でできており、好ましくは湾曲している（熱的又は化学的に）強化された有機ガラス製であり、外側グレージングとして意図されており、それぞれＦ１面（乗り物に対して外側の面）及びＦ２面と呼ばれる第１主面及び第２主面を有しており、自動車用に関して、このグレージングは、特には、好ましくは最大２．５ｍｍ、さらには最大２．２ｍｍ、特には最大１．９ｍｍ、最大１．８ｍｍ、最大１．６ｍｍ、及び最大１．４ｍｍ、又はさらには最大１．３ｍｍ又は最大１ｍｍの厚みを有する無機又は有機ガラス製であり、好ましくは参照方向を有している、
−光源、これは、Ｆ２面側における、エレクトロクロルミネッセント素子であり、（したがってＦ２面の方向に）外部シグナリングライトを照射することができ、外部シグナリングライトは、規格に適合するように選択され、例えば、サイドリピーターライトに関してはアンバー若しくは（ＭＶ）イエローライトであり、又は、（第３）ライト（停止ライト）に関しては、（ＭＶ）レッドライトであり、この光源は、Ｆ２面の方向に出口表面を有しており（かつ反対側に入口表面を有しており）、かつ、照射半頂角が、５０°〜７０°であり、特には、５５°〜６５°であり、主要な照射方向が、上述のエレクトロクロルミネッセント素子の平面に対して垂直であり、さらには、グレージングの（平均の）平面に対して垂直（好ましくは９０±５°、９０±２°、更には９０°）である、
特には透明であるエレクトロルミネッセント素子は、少なくとも５ｃｍさらには少なくとも１０ｃｍの長さでありかつ少なくとも１ｃｍ又は少なくとも２ｃｍさらには少なくとも５ｃｍの幅の照射領域を有し、好ましくは１ｃｍ以下さらには１ｍｍ以下の厚みＥ０である。
【図面の簡単な説明】
【０００５】
【図１】図１は、本発明にしたがってコリメートされかつリダイレクトされた光を提供するＯＬＥＤを有するリアウィンドウのＦ１面の側の平面図である。
【図１ａ】図１ａは、そのコリメーション光学素子及びリダイレクション光学素子を備えているＯＬＥＤの平面詳細図である。
【図１−１】図１´ａは、そのコリメーション光学素子及びリダイレクション光学素子を備えているＯＬＥＤの代替的な外部側の平面詳細図である。
【図１−２】図１´は、コリメーション光学素子及びリダイレクション光学素子を有しているＯＬＥＤの外部側の平面詳細図である。
【図１ｉ】図１ｉは、コリメーション光学素子の概略図である。
【図１ｊ】図１ｊは、コリメーション光学素子の概略図である。
【図１ｋ】図１ｋは、コリメーション光学素子の概略図である。
【図１ｌ】図１ｌは、コリメーション光学素子の概略図である。
【図１Ｘ】図１Ｘは、コリメーション光学素子の概略図である。
【図１Ｙ】図１Ｙは、コリメーション光学素子の概略図である。
【図１Ｚ】図１Ｚは、コリメーション光学素子の平面図である。
【図２】図２は、第２の実施態様に係るリアウィンドウ（バックウィンドウ）の断面図である。
【図３ａ】図３ａは、本発明にしたがってコリメートされかつリダイレクトされた光を提供するＯＬＥＤを有する（サイドウィンドウに固定されている）デフレクターの平面図である。
【図３ｂ】図３ｂは、本発明にしたがってコリメートされかつリダイレクトされた光を提供するＯＬＥＤを有する（サイドウィンドウに固定されている）デフレクターの断面図である。
【図３ｃ】図３ｃは、そのコリメーション光学素子及びリダイレクション光学素子を備えているＯＬＥＤの平面詳細図である。
【図３ｄ】図３ｄは、そのコリメーション光学素子及びリダイレクション光学素子を備えているＯＬＥＤの代替的な平面詳細図である。
【図４ａ】図４ａは、本発明にしたがってコリメートされかつリダイレクトされた光を提供するグレージング４００ａ（バックウィンドウ又はデフレクター）の断面図である。
【図４ｂ】図４ｂは、本発明にしたがってコリメートされかつリダイレクトされた光を提供するグレージング４００ｂ（バックウィンドウ又はデフレクター）の断面図である。
【図４ｃ】図４ｃは、本発明にしたがってコリメートされかつリダイレクトされた光を提供するグレージング（バックウィンドウ又はデフレクター）の断面図である。
【図４ｄ】図４ｄは、本発明にしたがってコリメートされかつリダイレクトされた光を提供するグレージング（バックウィンドウ又はデフレクター）の断面図である。
【図４ｅ】図４ｅは、本発明にしたがってコリメートされかつリダイレクトされた光を提供するグレージング（バックウィンドウ又はデフレクター）の断面図である。
【図５】図５は、本発明にしたがってコリメートされかつリダイレクトされた光を提供するグレージングの断面図である。
【図６ａ】図６ａは、本発明にしたがってコリメートされかつリダイレクトされた光を提供するグレージング（バックウィンドウ又はデフレクター）の断面図である。
【図６ｂ】図６ｂは、本発明にしたがってコリメートされかつリダイレクトされた光を提供するグレージングの断面図である。
【図７ａ】図７ａは、本発明に係るグレージングを製造することを目的として、積層の間にではなく、コリメーション光学素子及びリダイレクション光学素子を有するＯＬＥＤを第１ＰＶＢ積層中間層シートに取り付ける工程を示す図である。
【図７ｂ】図７ｂは、本発明に係るグレージングを製造することを目的として、積層の間にではなく、コリメーション光学素子及びリダイレクション光学素子を有するＯＬＥＤを第１ＰＶＢ積層中間層シートに取り付ける工程を示す図である。
【図７ｃ】図７ｃは、本発明に係るグレージングを製造することを目的として、積層の間にではなく、コリメーション光学素子及びリダイレクション光学素子を有するＯＬＥＤを第１ＰＶＢ積層中間層シートに取り付ける工程を示す図である。
【図７ｄ】図７ｄは、本発明に係るグレージングを製造することを目的として、積層の間にではなく、コリメーション光学素子及びリダイレクション光学素子を有するＯＬＥＤを第１ＰＶＢ積層中間層シートに取り付ける工程を示す図である。
【図７ｅ】図７ｅは、本発明に係るグレージングを製造することを目的として、積層の間にではなく、コリメーション光学素子及びリダイレクション光学素子を有するＯＬＥＤを第１ＰＶＢ積層中間層シートに取り付ける工程を示す図である。
【図７ｆ】図７ｆは、本発明に係るグレージングを製造することを目的として、積層の間にではなく、コリメーション光学素子及びリダイレクション光学素子を有するＯＬＥＤを第１ＰＶＢ積層中間層シートに取り付ける工程を示す図である。
【図７ｇ】図７ｇは、本発明に係るグレージングを製造することを目的として、積層の間にではなく、コリメーション光学素子及びリダイレクション光学素子を有するＯＬＥＤを第１ＰＶＢ積層中間層シートに取り付ける工程を示す図である。
【発明を実施するための形態】
【０００６】
好ましくは、（第１の）構成において、グレージングが、上述のエレクトロルミネッセント素子に面して、Ｆ２面と上述のエレクトロルミネッセント素子との間に、コリメーション光学素子を有しており、このコリメーション光学素子は、出口表面側の後方面、及び、この後方面とは反対側の、コリメーション面と呼ばれる前方面を、有する。
【０００７】
コリメーション光学素子は、透明かつ／又は柔軟な、好ましくはプラスチック材料でできており（特には、熱可塑性であり、ポリエチレンテレフタレート  ＰＥＴ、ポリエチレンナフタレート、ＰＥＮ、ポチエチレン  ＰＥ、ポリメチルメタクリレート  ＰＭＭＡ、ポリジメチルシロキサン  ＰＤＭＳ、ポリアミド、ポリイミド、ポリアクリレート、ポリエステル、ポリカーボネート、ポリスルホン、ポリエーテルスルホン、熱可塑性ポリウレタンであり）、好ましくは、１ｍｍ以下さらには最大０．６ｍｍ又は最大０．３ｍｍ又は最大０．１５ｍｍである（合計の）厚みＥ１を有する。
【０００８】
コリメーション光学素子は、好ましくは、プラスチック（特には熱可塑性、ＰＥＴ、ＰＥ、ＰＣ、ＰＭＭＡ、ＰＤＭＳ）の光学フィルムを含有し、このフィルムが、特には、その厚みにおいて部分的にテクスチャ化されており、又は、代替的には、厚みにおいて部分的に若しくは全体的にテクスチャ化されている透明上方層を有する、平滑で（特にはプラスチックの、上述のプラスチックから選択される）透明キャリアを含む複合フィルムであり、又は一組の好ましくはプラスチックの（上述のプラスチックから選択される）光学フィルムであり、それぞれ、頂部Ｓ、及び好ましくは１０μｍ〜５００μｍである頂部間の周期Ｔを有する特徴構造の配列を有しており、出口（又は発光）表面に面して、好ましくは少なくとも４又は少なくとも１０の特徴構造を有する。
【０００９】
本発明に係るコリメーション光学素子は、したがって、下記を有する：
（ａ）第１の、かつ好ましくは単層の、光学フィルム、これは、コリメーション面と呼ばれる前方面において、二次元の特徴構造の上記の配列を（Ｆ２面の方向に向かって）有しており、特には、上記の配列でテクスチャ加工されたフィルムであり、特には、最大０．３ｍｍ又は最大０．２ｍｍ又は最大０．１５ｍｍである厚みを有する、
（ｂ）又は、出口表面から出発して以下の順番で下記を有する、一組の少なくとも２つのプリズム状の光学フィルム、好ましくは、一組の最大で２つのプリズム状の光学素子：
−  出口表面とは反対側の主面（中間面と呼ばれる面）にプリズム（プリズム状の特徴構造）の第１配列を有する、第１光学フィルム、又は、特には、上述の第１配列でテクスチャ化された第１フィルム、第１配列は、第１軸に沿って長さ方向に（それらの長さに沿って）延在しており、特には、１ｍｍ以下さらには最大０．３ｍｍ又は最大０．２ｍｍ又は最大０．１５ｍｍの厚みを有する、
−  及び、第１光学フィルムに面しており（好ましくは、第１光学フィルムから最大１ｍｍ離れており、又は、その周縁部において、例えば接着性結合若しくは溶着によって、固定されている）、プリズム状の特徴構造の第２配列を出口表面とは反対側の主面（好ましくは上述の前方面を形成している面）に有する、第２光学フィルム、特には、上述の第２配列でテクスチャ化されているフィルム、これは、プリズム状の特徴構造の第１配列と交差しており、プリズム（プリズム状の特徴構造）の第２配列は、上述の第１軸に対して９０±１０°、好ましくは９０±５°、又は９０±２°、又はさらには９０°の角度を形成している第２軸に沿って、長さ方向に延在しており、第１軸又は第２軸が、参照方向と、最大１０°、さらには最大５°、さらには最大２°の角度を形成しており、さらには、平行（０°の角度）であり、特には、１ｍｍ以下さらには最大０．３ｍｍ又は最大０．２ｍｍ又は最大０．１５ｍｍの厚みを有する、
（ｃ）又は、コリメーション面と呼ばれる前方面にプリズム（プリズム状の特徴構造）の第１配列を有する、単層の第１光学フィルム、特には、上述の第１配列でテクスチャ化されているフィルム、この配列は、参照方向に対して最大１０°、さらには最大５°、さらには最大２°の角度を形成しておりさらには平行である軸に沿って長さ方向に延在しており、特には、特には、１ｍｍ以下さらには最大０．３ｍｍ又は最大０．２ｍｍ又は最大０．１５ｍｍの厚みＥ０を有する。
【００１０】
（ｂ）及び（ｃ）に関して、それぞれのプリズムが、２つの長さ方向面によって定義され、プリズムが、好ましくは、Ｌ＞２ＷさらにはＬ＞５Ｗ又はＬ＞１０Ｗである長さＬ及び幅Ｗを有する。
【００１１】
それぞれのプリズムは、頂部において６０°〜１１０°の範囲の角度（頂角）ａ０を形成している。さらには、それぞれの長さ方向面が、フィルムの平面に対して、３０〜５５°、さらには３５°〜５０°、さらには４０°〜５０°、さらには４５°±５°、４５°±１°、又は４５°である角度ａ１、ａ２を形成している。ａ１−ａ２は、好ましくは、５°未満であり、さらには、２°未満である（いわゆる対称プリズム）。
【００１２】
特には、（ｂ）及び（ｃ）に関して：
−  すべての又はいくつかのプリズムが、平面状でありかつ頂部Ｓで交わっている２つの長さ方向面によって鋭角を形成しており、それぞれの鋭角のプリズムが、６０°〜１１０°、さらには７０°〜１１０°、さらには８０°〜１００°、さらには、９０°±５°、９０°±２°、又は９０°の、頂部における角度ａ０によって定義され、それぞれの長さ方向面が、フィルムの平面に対して、３０°〜５５°、さらには３５°〜５０°、さらには４０°〜５０°、さらには４５°±５°、４５°±１°、又は４５°の範囲の、角度ａ１、ａ２を形成しており、（長さ方向面によって規定される）これらの角度の間の差異ａ１−ａ２が、好ましくは、１０°未満、５°未満、さらには２°未満である（いわゆる対称プリズム）、
−  すべての又はいくつかのプリズムが、フィルムの平面に対して垂直でありかつプリズムの上記の軸に垂直な平面Ｐにおいて、（それぞれ、湾曲しており、又は少なくとも部分的に湾曲しており、随意に、平面状部分を有しそして頂部に向かって湾曲している）２つの長さ方向面によって、丸みを帯びている；平面Ｐとそれぞれの丸みを帯びているプリズムとの間の交差部は、頂部Ｓにおいて隣接する２つの曲線部Ｃ１、Ｃ２を有する部分を形成する；２つの曲線部Ｃ１、Ｃ２の屈曲点Ｉ１及びＩ２を通る２つの直線Ｄ１及びＤ２が、規定される；それぞれの直線が、フィルムの平面に対して、３０°〜５５°、さらには３５°〜５０°、さらには４０°〜５０°、さらには４５°±５°、４５°±１°、又は４５°の範囲の角度ａ１、ａ２を形成し、好ましくは、（直線Ｄ１及びＤ２で規定される）上述の角度の間の差異ａ１−ａ２が、１０°未満、５°未満、さらには２°未満である（いわゆる対称プリズム）、
それぞれの丸みを帯びたプリズムは、Ｔ／１０とＴ／５の間である曲率の半径Ｒ１を有する、頂部Ｓに接する円によって、規定される（これらの直線Ｄ１及びＤ２は、交わって、６０°〜１１０°、さらには７０°〜１１０°、さらには８０°〜１００°、さらには、９０°±５°、９０°±２°、又は９０°の、（頂部における角度に対応する）角度ａ０を形成する）。
【００１３】
（ａ）に関して、それぞれの二次元の特徴構造は、側方面によって規定され、特には、少なくとも３つの交わっている側方面によって規定され、この二次元の特徴構造は、好ましくは、１以上、最大２、さらには最大１．５、又は最大１．１の、長さＬの、幅Ｗに対するアスペクト比を有する。
【００１４】
プリズムが、隣接する（鋭角の又は丸みを帯びた）谷である場合には、それは、上述の頂部における角度の許容範囲と同じ、谷における角度の許容範囲及び随意に谷における曲率の光学的半径の許容範囲で、規定される。
【００１５】
（ａ）に関して、フィルムに対して垂直な平面Ｐにおいて、二次元の特徴構造が、６０°〜１１０°、さらには７０°〜１１０°、さらには８０°〜１００°、さらには、９０°±５°、９０°±２°、又は９０°の範囲の角度ａ０を有し、側方面と平面Ｐとの交差部のそれぞれが、フィルムの平面と、３０°〜５５°、さらには３５°〜５０°、さらには４０°〜５０°、さらには４５°±５°、４５°±１°、又は４５°の範囲の角度ａ１、ａ２を形成し、（２つの交差部によって規定される）上述の角度の間の差異ａ１−ａ２が、１０°未満、５°未満、さらには２°未満である（いわゆる”対称”プリズム）。
【００１６】
特には、（ａ）に関して：
−  すべての又はいくつかの二次元の特徴構造が、鋭角であり、それぞれの鋭角である二次元の特徴構造に関して、フィルムに対して垂直であり頂部Ｓを通る平面Ｐと、鋭角の二次元の特徴構造との間の交差部が、頂部Ｓにおいて交わる２つの直線Ｄ１及びＤ２を有する三角形の部分を形成し、６０°〜１１０°、さらには７０°〜１１０°、さらには８０°〜１００°、さらには、９０°±５°、９０°±２°、又は９０°の、頂部における角度ａ０を形成する、
−  それぞれの直線Ｄ１、Ｄ２が、フィルムの平面に対して、３０°〜５５°、さらには３５°〜５０°、さらには４０°〜５０°、さらには４５°±５°、４５°±１°、又は４５°の角度ａ１、ａ２を形成し、差異ａ１−ａ２が、好ましくは、１０°未満、５°未満、さらには２°未満である（いわゆる”対称”プリズムである）、
−  すべての又はいくつかの二次元の特徴構造が、丸みを帯びており、それぞれの丸みを帯びた二次元の特徴構造に関して、フィルムの平面に対して垂直であり頂部Ｓを通る平面Ｐとの間の交差部が、頂部Ｓ’において隣接する２つの曲線部Ｃ１、Ｃ２を含む部分を形成し、２つの曲線部の屈曲部Ｉ１及びＩ２を通る２つの直線Ｄ１及びＤ２が規定され、これらの直線が、それぞれ、フィルムの平面に対して、３０°〜５５°、さらには３５°〜５０°、さらには４０°〜５０°、さらには４５°±５°、４５°±１°、又は４５°の角度ａ１、ａ２を形成し、上述の平面Ｐにおいて、それぞれの丸みを帯びたプリズムが、頂部Ｓに接しておりかつＴ／１０とＴ／５との間である曲率の半径Ｒ１を有する円によって、規定される（これらの直線Ｄ１及びＤ２は、交わり、６０°〜１１０°、さらには７０°〜１１０°、さらには８０°〜１００°、さらには、９０°±５°、９０°±２°、又は９０°の、頂部における上述の角度ａ０を、形成する）。
【００１７】
上述の構成においては、グレージングが、さらに、コリメーション光学素子に面して、コリメーション光学素子とＦ２面との間に、好ましくはコリメーション光学素子に（その周縁に、固定されて、例えば接着的に結合されて若しくは溶着されて、又は、最大１ｍｍでそこから離されて）、（いわゆる非対称）リダイレクション光学素子を有し、リダイレクション光学素子が、好ましくはプラスチックである（特には熱可塑性、ポリエチレンテレフタレート  ＰＥＴ，ポリエチレンテレフタレート  ＰＥＮ、ポリエチレン  ＰＥ、ポリメチルメタクリレート  ＰＭＭＡ、ポリジメチルシロキサン  ＰＤＭＳ，ポリアミド、ポリイミド、ポリアクリレート、ポリエステル、ポリカーボネート、ポリスルフォン、ポリエーテルスルフォン、熱可塑性ポリウレタンの）透明材料でできており、例えば、（最後の）光学コリメーション光学フィルム又はコリメーションフィルムの材料と同じであり、さらには、最大０．５ｍｍ又は最大０．３ｍｍの厚みであり、好ましくは１ｍｍ以下のサイズの厚みＥ’１であり、好ましくはプラスチックである光学フィルム又は好ましくはプラスチックである一組の光学フィルムを有し、それぞれが、出口表面とは反対側の主面に、非対称プリズムの配列を有し、この配列が、頂部及び１０μｍ〜５００μｍである頂部の間の周期Ｔ’を有し、好ましくは、出口（又は発光）表面に面して、少なくとも４さらには少なくとも１０の特徴構造を有している；
したがって、リダイレクション光学素子は、下記を含む：
（ｉ）非対称プリズム状である、第１光学フィルム、このフィルムは、上述の第１軸に対してかつ／又はグレージングの参照方向に対して最大１０°、最大５°又は最大２°の角度を形成しておりさらには平行である第３軸に沿って長さ方向に延在している、非対称プリズムの上述の配列を有しており、特には、１ｍｍ以下の、さらには最大０．３ｍｍ又は最大０．２ｍｍ又は最大０．１５ｍｍの厚みを有する、
（ｊ）又は、出口表面から出発して下記を以下の順番で有する、一組の、プリズム状である２つの非対称光学フィルム：
−  第３軸に沿って長さ方向に延在している非対称プリズムの配列を有する、非対称第１光学フィルム、特には、１ｍｍ以下の、さらには最大０．３ｍｍ又は最大０．２ｍｍ又は最大０．１５ｍｍの厚みを有する、この第３軸が、それぞれ、参照方向(さらには第１軸）に対して、最大１°、最大５°、又は最大２°の角度を形成している、
−  及び、第１非対称光学フィルムに面している（好ましくは、最大１ｍｍでそこから離されている、又は、その周縁に、固定されている、例えば接着結合されている若しくは溶着されている）、第２光学フィルム、このフィルムは、特には、最大０．３ｍｍ又は最大０．２ｍｍ又は最大０．１５ｍｍの厚みを有し、プリズム状の特徴構造の第２の配列を有し、この配列は、プリズム状の特徴構造の第１配列に交差しており、この配列は、第４軸に沿って、長さ方向に延在しており、この第４軸が、上述の第３軸に対して最大１０°好ましくは最大５°最大２°さらには０°（平行）の角度を形成しており、かつ／又は第４軸が、参照方向に対して（さらには第１方向に対して）最大１０°好ましくは最大５°最大２°（又は０°）の角度を形成している。
【００１８】
（ｉ）及び（ｊ）に関して、それぞれの非対称プリズムは、第１及び第２長さ方向面によって規定され、プリズムが、好ましくは、Ｌ＞２ＷさらにはＬ＞５Ｗ又はＬ＞１０Ｗである長さＬ及び幅Ｗを有する。
【００１９】
それぞれの非対称プリズムは、５０〜６０°、さらには５５°±５°又は５５°±２°の範囲の、頂部における角度ａ’０を有し、第１長さ方向面（長面と呼ばれる面）は、非対称光学フィルムの平面に対して、３１〜４１°、さらには３５°±５°又は３５°±２°の範囲の第１角度ａ３を形成する。無論、第２長さ方向面（短面と呼ばれる面）は、非対称光学フィルムの平面に対して、７９〜９９°若しくは７０〜９０°、さらには８５°〜９０°又は８８〜９０°、好ましくは最大９０°の、第２角度ａ４を形成する。好ましくは、差異ａ４−ａ３が、４０°超であり、さらには５０°超である。
【００２０】
特には、（ｉ）及び（ｊ）に関して：
−  すべての又はいくつかの非対称プリズムが、平坦であり頂部Ｓ１において交わっている２つの長さ方向面を有して鋭角であり、それぞれの鋭角のプリズムが、頂部における上述の角度ａ’０によって規定され、
−  全ての又はいくつかの非対称（対称）プリズムが、フィルムの平面に対して垂直でありかつプリズムの上述の軸に対して垂直である平面Ｐにおいて、２つの長さ方向面（それぞれ、湾曲しており、又は少なくとも部分的に湾曲しており、随意に、平坦部分を有しそして頂部に向かって湾曲している、面）を有して丸みを帯びており、平面Ｐとそれぞれの丸みを帯びているプリズムとの間の交差部が、頂部Ｓ１に対して隣接している２つの曲線部Ｃ’１、Ｃ’２を有する部分を形成し、
２つの曲線部Ｃ’１、Ｃ’２の屈曲点Ｉ’１及びＩ’２を通過する第１及び第２直線Ｄ’１及びＤ’２が、規定され、
−  第１直線Ｄ’１が、フィルムの平面に対して、上述の角度ａ３を形成しており、
−  第２直線Ｄ’２が、フィルムの平面に対して、上述の角度ａ４を形成しており、
それぞれの丸みを帯びた非対称プリズムが、Ｔ’／１０とＴ’／５との間である曲率の半径Ｒ１を有する、頂部Ｓ１に接する円によって、規定される（これらの直線Ｄ’１及びＤ’２は、交わっており、頂部における上述の角度ａ’０を形成する）。
【００２１】
非対称プリズムが、隣接している、鋭角であり又は丸みを帯びている谷部である場合には、上述の頂部における角度の許容範囲と同一の、谷部における角度の許容範囲及び谷部における随意の曲率の半径によって、規定される。
【００２２】
Ｆ２面の方向に向いている長面の法線は、リアウィンドウの上面の方向に向いており、若しくはウィンドシールドの上面の方向に向いており、又は、サイドウィンドウの前方に向いている。
【００２３】
さらには、（第１の）構成においては：
−  リアウィンドウ又はウィンドシールドに関する参照方向は、ウィンドウ又はウィンドシールドの平面における水平であり、
かつ、コリメーション機能及び／又はリダイレクション機能を確保するために：
−  （平滑であり、又は、光抽出を促進するために例えばレンティキュラ配列等で既にテクスチャ化されている）出口表面と、コリメーション光学素子の第１光学フィルムの、（平滑面であり、コーティングを有しておらず、マイクロサイズのテクスチャ等を有していない…）入口表面との間に、空気があり、特には、第１光学フィルムが、出口表面から最大１ｍｍで離されており、又は、例えば、接着性結合によって、スペーサありで若しくはスペーサなしで、出口表面に周縁部で固定されており、又は、随意に、出口表面と物理的に（非光学的に）接触しており、例えば、そこから最大１ｍｍで離れており、
−  （ｂ）及び（ｃ）に関して、空気が、コリメーション光学素子の前方面のプリズムの間にあり、特には、特徴構造の頂部が、透明素子（随意の第２フィルム又は非対称プリズム状フィルム）から離れているか、又はそれと物理的な接触を形成している、
−  （ａ）に関して、二次元の特徴構造が、くぼんでおり、二次元の特徴構造が、キャビティの配列（それぞれのキャビティの壁が、側方面、特には、連続的な交わっている側方面又は円錐側面を形成している）であり、頂部Ｓが、Ｆ２面とは反対側に向いており、それぞれのキャビティの（特には底部の輪郭を規定する）上部表面が、（第１）非対称プリズム状フィルムから離れており若しくはそれと物理的な接触を形成しており、又は、二次元の特徴構造が、隆起しており、Ｆ２面の方向に向いており、それぞれの前方面の特徴構造の頂部が、（第１）非対称プリズム状フィルムから離れており若しくはそれと物理的な接触を形成しており、空気が、二次元の特徴構造の間にあり、
−  最後の非対称プリズム状フィルムの前方面が、特定の透明素子から離れているか又はそれと物理的な接触を形成しており、この透明素子が、特には、好ましくは１ｃｍ以下の厚みを有しており（保護フィルム及び／又は機能性フィルム、グレージングが積層されている場合には、第２グレージングのＦ４面であり、）、さらには、最大０．３ｍｍ又は０．１５ｍｍの厚みを有しており、又は、第１グレージング（第１グレージングのＦ２面）に対応する。
【００２４】
上述のコリメーション光学素子及びリダイレクション光学素子のアセンブリに関する（第２の）代替的な構成においては、グレージングが、出口表面に面して、特には透明材料でできている、ホログラフィックリダイレクション光学素子を有しており、透明材料が、好ましくはプラスチック、特には熱可塑性物質であり（好ましくはポリエステル、ポリエチレンテレフタレート  ＰＥＴ、ポリエチレン  ＰＥ、ポリカーボネート  ＰＣ、ポリメチルメタクリレート  ＰＭＭＡ、ポリスチレン、ポリアミド、ポリジメチルシロキサン  ＰＤＭＳ、ポリエチレンナフタレート  ＰＥＮ、ポリイミド、ポリアクリレート、ポリスルホン、ポリエーテルスルホン、熱可塑性ポリウレタンであり）、好ましくは、出口表面の上にあり（その周縁部において、例えば接着性結合によって、若しくは溶着によって、固定されており、又は、そこから最大１ｍｍで離れており）；ホログラフィックリダイレクション光学素子が、Ｆ２面の方向に向いている前方面、及び反対側の後方面を有しており；ホログラフィックリダイレクション光学素子が、（一次元であり、例えばプリズム状特徴構造である）ホログラフィック特徴構造の配列を有する、特には可塑性である、フィルムを、前方面に有しており、さらには、ホログラフィックリダイレクション光学素子が、そのようなフィルムであり、好ましくは、厚みが、１ｍｍ以下、さらには最大０．３ｍｍ又は０．１５ｍｍである。
【００２５】
さらには、この代替的な（第２の）構成においては、空気が、出口表面と、ホログラフィックリダイレクション光学素子の入口表面との間にあり、空気が、ホログラフィックリダイレクション光学素子の最終的な前方面のホログラフィック特徴構造の間にある；ホログラフィックリダイレクション光学フィルムの前方面は、特定の透明素子から離れているか又はそれと物理的な接触を形成しており、透明素子は、好ましくは１ｃｍ以下の厚みを有しており（保護フィルム及び／又は機能性フィルム、グレージングが積層されている場合には、第２グレージングのＦ４面であり）、さらには、最大０．３ｍｍ又は最大０．１５ｍｍの厚みを有しており、又は、第１グレージングに対応する。
【００２６】
さらには、これらの構成においては：
−  リアウィンドウ又はウィンドシールドに関する参照方向が、リアウィンドウ又はウィンドシールドの平面における水平であり（リダイレクションに関しては地面の方向であり）、
−  サイドウィンドウに関する参照方向が、ウィンドウの平面における水平に対して垂直であり、リダイレクションに関して後方の方向である。
【００２７】
本発明によれば、それらの効果を保証するために、それぞれのフィルムの特徴構造の間における任意の特には透明である材料（接着性物質、積層中間層）が、回避され、特には、空気ギャップが、出口表面と第１光学フィルムの入口表面との間に作り出される。
【００２８】
（フィルムの、出口表面に対する）物理的接触は、許容されるが、スペーサを有する又は有しない（好ましくは接着性結合による）周縁的な固定によって達成される空気充填キャビティが、好ましい（さらに良好に制御された厚み、虹色区域のおそれの低減）。
【００２９】
本発明によれば、周縁固定（さらには、それぞれの周縁固定）が、好ましくは、全体的に、発光領域の外である（発光領域からオフセットおり、したがって発光領域に対して周縁的である）。固定の幅は、最大５ｍｍであってよい。
【００３０】
本発明に係る１又は複数の光学フィルムは、効果的であり、実施が単純であり、かつ、薄くてよく、最大１ｍｍ又は最大０．５ｍｍの合計の厚みを有してよい。
【００３１】
（コリメーション及びリダイレクション）フィルムは、一緒に、周縁部を介して出口表面に固定されるスタックを形成することができる。
【００３２】
エレクトロルミネッセント素子、コリメーション光学素子、及びリダイレクション光学素子からなるアセンブリは、Ｆ２面に対して平行に、平坦であってよく、かつ、Ｆ２面又は積層グレージングのＦ４面に、その周縁部において、押し付けられてよく、又は接着的に結合されてよい。エレクトロルミネッセント素子及びホログラフィックリダイレクション光学素子からなるアセンブリは、Ｆ２面に対して平行に、平坦であってよく、かつ、Ｆ２面又は積層グレージングのＦ４面に、その周縁部において、押し付けられてよく、又は接着的に結合されてよい。
【００３３】
このアセンブリは、コンパクトであってよく、最大１０ｍｍ又は最大５ｍｍの合計厚であってよい。
【００３４】
エレクトロルミネッセント素子は、（準）ランバート表面である。これは、点状の発生源、例えばＬＥＤとして言及される無機発光ダイオードとは異なり、拡張された発生源である。
【００３５】
エレクトロルミネッセント素子、例えばＯＬＥＤ又はＱＬＥＤは、その出口表面に接着的に結合された、光を抽出するためのレンティキュラ配列若しくはこの相当物を有するフィルム（”外部抽出層”、ＥＥＬと呼ばれるフィルム）、又はこの目的のためにテクスチャ化されている出口表面を、既に有していてよい。
【００３６】
エレクトロルミネッセント素子は、好ましくは矩形ストリップである。好ましくは、発光領域が、単層の活性領域であり、又は、一組の、好ましくは少なくとも１若しくは２ｃｍの長さの、素活性領域であり、素活性領域が、間隔を空けて配置され、それにより、好ましくは矩形領域で均一な光を作り出すようになっている。単層の活性領域は、好ましくは、矩形である。素活性領域は、好ましくは、正方形又は矩形である。
【００３７】
平面状の面を有する鋭角な特徴構造が、好ましい。しかしながら、製造欠陥によって、波状の特徴構造（湾曲した側面及び丸みを帯びた頂部）がもたらされることがある。これらの特徴構造は、本発明に従って規定されているように、許容される。
【００３８】
無論、（ｂ）又は（ｃ）に関して、長さ方向軸に沿って一次元的である一組のプリズム状の特徴構造（プリズム）を形成することが、好ましい。製造上の理由等から一次元プリズムが長さ方向において複数の部分に分割される場合には、この部分は、５Ｌ未満、さらには１０Ｌ未満、さらには２０Ｌ未満の距離で離されている。
【００３９】
特徴構造（プリズム又は二次元の特徴構造）は、可能な限り互いに近接しており、かつ、例えば、それらの底部が、１ｍｍ未満、好ましくは０．５ｍｍ未満で離されている。
【００４０】
さらにより好ましくは、プリズム又は二次元の特徴構造及び非対称プリズムが、隣接しており、又は本質的に隣接している。
【００４１】
特徴構造（プリズム等）は、それらがそれらの表面の少なくとも一部において互いに接触（連続）している場合には、隣接していると言われる。特徴構造は、隣接していることが好ましい；なぜならば、その場合には、特徴構造はさらに数が多くなり、さらに効果的だからである。例えば、それぞれのプリズム状フィルムに関して、長さ方向軸に沿って一組の一次元的なプリズム状特徴構造が存在し、これらの特徴構造の底部が、隣接している。
【００４２】
特定の二次元特徴構造は、特徴構造の間における完全な隣接性（連続性）を可能としない。これは、特には、底部が円形である場合であり、接触する場合であっても、円の間に、特徴構造に属しない一定の領域が、残る。完全な隣接性（連続性）によって意味しているのは、特徴構造の底部の輪郭が、その全体として、その隣にある特徴構造の輪郭の部分を形成しているということである。
【００４３】
特定の特徴構造は、完全に隣接することができ、それにより、光学フィルムの領域（少なくとも、エレクトロルミネッセント素子に面する機能領域）の全体が、少なくとも１つの特徴領域の部分を形成するようになっている。これは、テッセレーションの問題である。特には、正方形又は矩形又は六角形の底部を有する二次元特徴構造は、エレクトロルミネッセント底部が同一であれば、完全に隣接することができる。正方形又は矩形の底部の場合には、特徴構造が完全に隣接するためには、その底部も整列する必要がある。六角形の底部の場合には、この底部がハニカムを形成することが望ましい。
【００４４】
エレクトロルミネッセント素子（好ましくはＯＬＥＤ又はＱＬＥＤ）を覆っているテクスチャ化されている透明フィルムは、それぞれ、領域的にテクスチャ化されていてよく、したがって、エレクトロルミネッセント素子（ＯＬＥＤ又はＱＬＥＤ）又は複数のエレクトロルミネッセント素子（ＯＬＥＤ又はＱＬＥＤ）に直接に対向して、１又は複数のテクスチャ化された領域を有してよく、かつ、（ＯＬＥＤ又はＱＬＥＤからオフセットしている）隣接領域が、（ある程度の透明度を残すために）平滑であってよい。
【００４５】
好ましくは、コリメーション光学素子及び／又はリダイレクション光学素子が、第１グレージングの端部面を超えて延在していない。
【００４６】
グレージングが、複数のエレクトロルミネッセント素子、例えばＯＬＥＤ又はＱＬＥＤを含む場合には、グレージングは、好ましくは、エレクトロルミネッセント素子（ＯＬＥＤ又はＱＬＥＤ）ごとに１つのコリメーション光学素子さらには１つのリダイレクション光学素子を有することができ、又は、複数のエレクトロルミネッセント素子（ＯＬＥＤ又はＱＬＥＤ）に共通するコリメーション光学素子、さらには共通するリダイレクション光学素子を、有することができる。コリメーション光学素子さらにはリダイレクション光学素子は、好ましくは、できる限り局所的である；なぜならば、これはヘイズを生ずるからである。共通のコリメーション光学素子（さらには共通のリダイレクション光学素）の場合には、フィルムが、エレクトロルミネッセント素子の間において、平滑であってよく、又は、フィルムの比較的小さい幅（コリメーション光学素子さらにはリダイレクション光学素）にわたってのみ、例えば最大５ｃｍ若しくは最大１ｃｍの幅にわたってのみ、特徴構造を有していてよい。
【００４７】
特にはＯＬＥＤに関して、グレージングが、下記の場所に、カラーフィルターを有してよい：
−  出口表面と、コリメーション光学素子特には第１光学フィルムの後方面との間、
−  出口表面と、ホログラフィックコリメーション光学素子特には光学フィルムの、入口表面との間、
−  F２面、若しくは随意のホログラフィックリダイレクション光学素子の最終前方面の周縁に接着結合している、最終的な前方面と、Ｆ２面との間、−−−
−  又は、リダイレクション光学素子と積層中間層との間、この場合、局所的な保護フィルムを形成する。
【００４８】
好ましくは、本発明に係る光学フィルムに関して、この光学フィルムが、好ましくは、反復的な形態的特徴構造である；すなわち、実質的に同一の形状を有しており、互いに実質的に等しい距離で配置されており、かつ、さらには実質的に同一の高さを有している、幾何学的な特徴構造である。
【００４９】
無論、コリメーション光学素子又はリダイレクション光学素子によって覆われている区域の形状は、特徴構造の形状とは独立している。
【００５０】
したがって、二次元特徴構造は、下記であってよい：
−  二次元特徴構造が、隆起しており、したがって中実であり、例えば、円錐形又はピラミッド状の表面を有しており、特には、側方隆起線によって分割されており交わっている側方面を、有する、
−  二次元特徴構造が、くぼんでおり（換言すると、反転しており）、フィルムが、キャビティの配列でテクスチャ化されており、それぞれのキャビティの１又は複数の壁が、ピラミッド状の側方面又は円錐側方面を形成しており、頂部が、面Ｆ２の反対側の方に向いており、キャビティの上部表面が、底部の輪郭を規定している。
【００５１】
二次元特徴構造は、例えば円錐又はピラミッドの場合のように、先端において終端している。
【００５２】
好ましくは、それぞれの二次元特徴構造が、ピラミッドの、平面状でかつ交わっている（側方）面を、有する。二次元特徴構造が標準的なピラミッドである場合には、（フィルムのテクスチャ面の一般的な平面に含まれる）底部が、正三角形である。
【００５３】
慣用的な円錐は、その側方に平面状の表面を有しない。
【００５４】
それぞれの光学フィルムの入口は、低い粗さを有しており、それにより、散乱を防止するようになっている。粗さとは独立に、特徴構造の最高点と最低点との間の距離に等しい特徴構造（テクスチャ）の深さ又は高さを、規定することができる。
【００５５】
特徴構造（プリズム又は二次元特徴構造）は、好ましくは、１０μｍ〜５００μｍの高さ、さらには１００μｍと３００μｍとの間の高さであり、好ましくは、少なくとも５０μｍかつ最大で２００μｍの高さを有する。
【００５６】
それぞれの光学フィルム（コリメーション光学素子及びリダイレクション光学素子）の高さは、５μｍと１ｍｍとの間、好ましくは、１０μｍと５００μｍとの間、特には、２０μｍと３００μｍとの間、好ましくは、少なくとも５０μｍかつ最大２００μｍであってよい。
【００５７】
透明光学フィルムは、プラスチック（有機ポリマー）材料でできているフィルムであってよく、上述したプラスチックから選択することができ、好ましくは、ポリエステル、ポリエチレンテレフタレート  ＰＥＴ、ポリカーボネート  ＰＣ、ポリメチルメタクリレート  ＰＭＭＡであってよい。
【００５８】
透明光学フィルムは、好ましくは、柔軟であり、それによって、グレージングが湾曲している場合に、（一体型又は積層型）グレージングの１又は複数の曲率に一致する。
【００５９】
光学フィルム（コリメーション光学素子又はリダイレクション光学素子）は、上述の特徴構造を有する透明層をその表面に有するプラスチックフィルムを有してよく、この層の厚みが、部分的に又は全体としてテクスチャ化されている。
【００６０】
好ましくは、それぞれの光学フィルム（コリメーション光学素子及びリダイレクション光学素子）が、（一体型の）プラスチックフィルムであり、その厚みが、部分的にテクスチャ化されている；換言すると、平滑な入口表面とテクスチャ化されている（Ｆ２側の）前方面の最も近い点との間に、一定の厚みが存在する。好ましくは、フィルムの残りの（一定の）厚みが、テクスチャ化されている前方面と後方面との間の最も低い場所の間の距離として、定義される。残りの厚みは、少なくとも５０μｍであり、さらには、最大２００μｍである。
【００６１】
テクスチャは、ポリマー材料に関しては、ローリング（すなわち、キャスト）、熱成形、エッチング、特にはレーザーエッチングによって、製造することができる。所望のテクスチャの形状に応じて、製造は、完全な幾何学的形状をもたらす必要はなく、丸みを帯びた谷又は頂部などをもたらしてよい。
【００６２】
（ａ）又は（ｂ）に係るコリメーション光学素子が、第１テクスチャ透明フィルムであってよい。
【００６３】
（ｃ）に係るコリメーション光学素子が、第１テクスチャ透明フィルム及び交差している第２テクスチャ透明フィルムであってよい。
【００６４】
（ｉ）に係るリダイレクション光学素子が、第１テクスチャ化透明フィルムであってよい。
【００６５】
（ｊ）に係るリダイレクション光学素子が、第１テクスチャ化透明フィルム及び交差している第２テクスチャ化透明フィルムであってよい。
【００６６】
好ましくは、コリメーション光学素子及び／又はリダイレクション光学素子に関して、下記の好ましくは累積的である特徴構造が、好ましい：
−  光学フィルム又はそれぞれの光学フィルムが、その厚みにおいて部分的にテクスチャ化されているプラスチックフィルムであり、特徴構造の高さＨが、好ましくは、最大１０％の分散を有する、
−  （ａ）に関して、二次元特徴構造が、くぼんでおり、特にはプラスチックフィルムが、その厚みにおいて部分的にテクスチャ化されている；二次元特徴構造が、矩形、正方形、又は円形の底部を有しており、好ましくは、最大１０％の分散を有する高さＨを有しており、特には、特徴構造が、（ほぼ）同一の高さであり、したがって、同一平面上に上方表面を有している、
−  （ａ）、（ｂ）又は（ｃ）に関して、頂部Ａ１における角度（頂角）ａ０が、９０°±５°、さらには角度Ａ２が４５°±５°であり、さらには、頂部Ａ１における角度が９０°±２°であり、さらには、角度Ａ２が、４５°±２°である、
−  （ｉ）及び（ｊ）に関して、頂部Ａ１における角度が５５°±５°でありさらには角度Ａ２が３５°±５°であり、さらには、頂部Ａ１における角度が５５°±２°でありさらには角度Ａ２が３５°±２°である。
【００６７】
好ましくは、エレクトロルミネッセント素子に関して、下記の好ましくは累積的な特徴が好ましい：
−  エレクトロルミネッセント素子が、有機発光ダイオードである、すなわち、いわゆるＯＬＥＤであり、特には、透明ＯＬＥＤ（ＴＯＬＥＤ）又は量子ドット発光ダイオード、すなわちいわゆるＱＬＥＤであり、さらには、ＴＦＥＬ（薄フィルムエレクトロルミネッセント）であり、
−  エレクトロルミネッセント素子、特にはＯＬＥＤ又はＱＬＥＤが、透明であり、かつ、少なくとも２０％、さらには少なくとも５０％の光透過率を有する
−  エレクトロルミネッセント素子が、キャリアを有する背面発光ＯＬＥＤであり、このキャリアが、Ｆ２面とは反対の側に、随意の機能下方層、透明アノード、有機エレクトロルミネッセントシステム、反射カソード、を有し、特には、Ｆ２面とは反対の側に、発光領域に隣接して、例えば幅が最大１ｃｍさらには最大５ｍｍ又は１ｍｍである、１又は複数の暗色端部（例えば、電力供給のための、技術端部）を有し、コリメーション光学素子さらにはリダイレクション光学素子が、好ましくは少なくとも部分的に技術端部に面して、固定されている（接着的に結合しており、又はさらには溶着されている、等）。
【００６８】
ＯＬＥＤは、アセンブリ（活性領域）を覆う封入層、例えば透明である樹脂又は接着性物質でコーティングされたプラスチックフィルム、を、有することもできる。このプラスチックフィルムは、導電区域を備えて、電気接続としての役割を有することができる。
【００６９】
特には、乗り物においては、前方方向への照射が白色であり、後方方向への照射が、赤色であり、かつ、側方方向への照射が、アンバー（ＭＶイエロー）である。
【００７０】
リアウィンドウに関して、光源（特にはＯＬＥＤ）及びコリメーション光学素子及びリダイレクション光学素子からなるアセンブリが、（第３の）停止ライト若しくはインジケータ（サイドリピーター）ライト、ポジションライト、又はサイドライトを形成してよい。
【００７１】
リアウィンドウ又はウィンドシールドに関しては、光源（特にＯＬＥＤ）及びホログラフィックリダイレクション光学素子からなるアセンブリが、（第３の）停止ライト若しくはインジケータ（サイドリピーター）ライト、ポジションライト、若しくはサイドライトを形成し、又は、光源（特にはＯＬＥＤ）が、記号、特には水平ピクトグラム（記号、文字表示など）であり、ウィンドウの下方若しくは側方境界にあり、若しくはさらにはウィンドウの中央にあり、特には、警告ピクトグラム、例えば、ハザード警告ライトであり、若しくは、交通に関する警告を提供する、若しくは、特には安全距離に関する、情報提供するピクトグラムである。
【００７２】
光源は、ストリップであってよく、このストリップが、直線的であり、又は、湾曲しており、例えばウィンドウの湾曲した端部若しくは（不透明な、特には黒色エナメル層の）マスキング周縁部などに沿って湾曲している。
【００７３】
例えば、（リアウィンドウ又はウィンドシールドに関して）光源（特にはＯＬＥＤ）が、好ましくは、（ＭＶ）レッドで照射し、特には、好ましくは矩形であり周縁的でありさらには水平である、発光性ストリップである。
【００７４】
例えば、（リアウィンドウ又はウィンドシールドに関して）光源（特にはＯＬＥＤ）が、好ましくは、（ＭＶ）イエローで照射し、特には、好ましくは矩形であり周縁的でありさらには水平であり特にはウィンドウの下方若しくは側方境界において水平である、発光性ストリップである。
【００７５】
特には、光源（特にはＯＬＥＤ）が、矩形でありかつ周縁的であり、特には水平であり、リアウィンドウの下方又は側方境界における発光性ストリップであり、光源及びコリメーション光学素子及びリダイレクション光学素子からなるアセンブリが、特には、インジケータ（サイドリピーター）ライト、ポジションライト、サイドライトを形成し、又は、光源及びホログラフィックリダイレクション光学素子からなるアセンブリが、インジケータ（サイドリピーター）ライト、ポジションライト、若しくはサイドライトである。
【００７６】
特には、特にはＯＬＥＤである光源が、シンボルであり、又はピクトグラムであり、特には、ウィンドウの下方若しくは側方境界において、若しくはさらにはウィンドウの中央において、水平であり、特には、警告ピクトグラムであり、例えば、ハザード警告ライトであり、又は、交通に関係する警告を提供する、若しくは、情報、特には安全距離に関する情報を提供する、ピクトグラムである。
【００７７】
特には、特にはＯＬＥＤである光源が、（ＭＶ）レッドで照射し、特には、好ましくは矩形でありかつ周縁的である、発光性ストリップであり、この発光性ストリップが、したがって、視界領域の境界にあり、特には、ウィンドウ（Ｆ４又はＦ２面）の上方境界にあり、かつ中央側にあり、光源及びコリメーション光学素子及びリダイレクション光学素子からなるアセンブリが、第３停止ライト、ポジションライト、若しくはサイドライトを形成し、又は、光源及びホログラフィックリダイレクション光学素子からなるアセンブリが、第３停止ライト、ポジションライト、若しくはサイドライトを形成する。
【００７８】
特には、（リアウィンドウ又はウィンドシールドに関して）光源が、（ＭＶ）イエローで照射し、特には、好ましくは矩形であり周縁的である、発光性ストリップであり、この発光性ストリップは、したがって、視界領域の境界にあり、特には、ウィンドウ（Ｆ４又はＦ２面）の下方境界にあり、光源及びコリメーション光学素子及びリダイレクション光学素子からなるアセンブリが、例えば、インジケータライトを形成し、又は、光源及びホログラフィックリダイレクション光学素子からなるアセンブリが、例えばインジケータ（サイドリピーター）ライトを形成する。
【００７９】
リアウィンドウのための（ＭＶ）レッド又はイエローを得るためには、白色ライトを照射するエレクトロルミネッセント素子（例えばＯＬＥＤ又はＱＬＥＤ）を使用し、そして、レッド又はイエローのフィルターを使用することができる。前方最終面とＦ２面との間の局所的な保護フィルムが、上述の（レッドの、かつ／又は他の任意の必要な色の）カラーフィルターであってよい。
【００８０】
リアウィンドウは、トランクドア、ユーティリティ乗り物ドアにあってよく、又は、バックウィンドウであってもよい。
【００８１】
光源は、不透明であってよく、かつ／又は、（積層グレージングであり光源がＦ２とＦ３との間にある場合には、Ｆ４における）マスキング層によって、若しくは保護フィルムによって、内部から隠されていてよい。
【００８２】
特にはサイドウィンドウ及びウィンドシールドを介して、内部に（一方向的に）光が進入することを防ぐことが望まれてよい。
【００８３】
光源は、透明であってよく、かつ／又は、（積層グレージングであり光源がＦ２とＦ３との間にある場合には、Ｆ４における）マスキング層によって、若しくは保護フィルムによって、内部から隠されていてよい。
【００８４】
（Ｆ２面における）外側マスキング層が、光源に垂直な開口部を備えていてよい。
【００８５】
他のカラー、例えばブルー、オレンジ、グリーンなどのカラーの１又は複数のライトが所望されてよい。
【００８６】
一緒に制御され（例えば同時にオンオフされ）、例えば同一の機能を実行し、かつ、例えば、８０ｍｍ超又は７５ｍｍ超で離されている、複数のＯＬＥＤ又はＴＦＥＬ又はＱＬＥＤ発光性区域（それぞれ、矩形、正方形、又は他の任意の所望の形状である区域）が提供されてよく、これらが随意に同一のカラーであってよい。
【００８７】
リア（又はサイド）ウィンドウ（又はウィンドシールド）が、複数の、特にはＯＬＥＤ若しくはＴＦＥＬ若しくはＱＬＥＤである、エレクトロルミネッセント素子を有してよく、これらのそれぞれが、ホログラフィックリダイレクション光学素子を有してよく、又は、コリメーション光学素子及びリダイレクション光学素子からなるアセンブリを有してよく、上述の光源が、特には、随意に同一のカラーを照射し、リアウィンドウの上方境界にあってよい。
【００８８】
ウィンドシールドに関して、これが、前方向きライト、例えばＤＲＬ（日中走行ライト）又は発光性ピクトグラム等であってよい。
【００８９】
特にはデフレクターとして固定されている、サイドウィンドウに関して、特にはＯＬＥＤ又はＴＦＥＬ又はＱＬＥＤである光源及びコリメーション光学素子及び非対称リダイレクション光学素子からなるアセンブリが、インジケータ（サイドリピーター）ライトを形成してよく、又は、光源及びホログラフィックリダイレクション光学素子からなるアセンブリが、インジケータ（サイドリピーター）ライトを形成してよい。
【００９０】
例えば、特にはＯＬＥＤ又はＴＦＥＬ又はＱＬＥＤである光源が、（ＭＶ）イエローを照射し、好ましくは矩形、周縁的である、発光性ストリップであり、この発光性ストリップが、したがって、視野領域の境界にあり、特には、下方若しくは側方さらには後側方にあり、光源及びコリメーション光学素子及びリダイレクション光学素子からなるアセンブリが、サイドリピーターインジケータライトを形成し、又は、光源及びホログラフィックリダイレクション光学素子からなるアセンブリが、サイドリピーターインジケータライトを形成する。
【００９１】
サイドウィンドウは、矩形であってよく、又は、（比較的短い上方端部を有する）四辺形の形状であってよい。
【００９２】
リアウィンドウのための（ＭＶ）イエローライトを得るために、白色ライトを照射するエレクトロルミネッセント素子（例えばＯＬＥＤ又はＱＬＥＤ）を使用し、そして、イエローのフィルターを使用してよい。最終前方面とＦ２面との間の局所的な保護フィルムが、上述のフィルターであってよい。
【００９３】
光源（例えばＯＬＥＤ又はＱＬＥＤ光源）が、シンボル又はピクトグラムであってもよい。
【００９４】
例えば、サイドウィンドウに関して、複数のＯＬＥＤ又はＴＦＥＬ又はＱＬＥＤが選択され、それぞれが、ホログラフィックリダイレクション光学素子を有しており、又は、コリメーション光学素子及びリダイレクション光学素子からなるアセンブリを有しており、上述の光源が、最大８５ｍｍで離されており、かつ、水平に若しくはさらには垂直に（若しくは少なくとも側方的に）配置されている。
【００９５】
グレージングは、下記を有する積層グレージングを有してよい：
−  上述の第１（透明）グレージング、
−  内側グレージングであることが意図されている、第２（透明）グレージング、これは、好ましくは湾曲しており好ましくはクリア又は超クリア又はさらには（第１グレージングよりも少ない程度で）着色されている、無機又はさらには有機のガラスでできており、第３及び第４主面、それぞれＦ３面及びＦ４面、を有しており、自動車用途に関して、好ましくは、第１グレージングの厚みよりも薄い厚み、さらには、最大２ｍｍ、特には最大１．９ｍｍ、最大１．８ｍｍ、最大１．６ｍｍ、若しくは最大１．４ｍｍ、さらには最大１．３ｍｍ又は、１．１ｍｍ未満、さらには０．７ｍｍ未満、かつ特には０．２ｍｍ以上である厚みを有し、第１及び第２グレージングの合計の厚みが、好ましくは、厳密に、４ｍｍ未満、さらには３．７ｍｍ未満、であり、第２グレージングが、化学的に強化されていてよい
−  積層グレージングの内部面である、Ｆ２面とＦ３面との間における、透明積層中間層、これは、随意にクリアであり、超クリアであり、又はさらには着色されており特には灰色若しくは緑色であり（例えば複層の場合には、その厚みにおいて部分的に着色されていてよく）、好ましくは、熱可塑性であるポリマー材料でできており、さらには、ポリビニルブチラール（ＰＶＢ）でできており、この積層中間層（単層のシート、複合シート）は、Ｆ３面の側の主面ＦＡ、及び、Ｆ２面の側の主面ＦＢを有し（特にはＯＬＥＤ又はＱＬＥＤであるエレクトロルミネッセント素子からオフセットしており、特には隣接しており、例えばグレージングの領域の少なくとも５０％さらには少なくとも８０％又は少なくとも９０％を覆っている領域において）、面ＦＡが、（裸であり又はコーティングによってコーティングされている）Ｆ３面と、接着的な接触を形成しており、かつ、面ＦＢが、（裸であり又はコーティングによってコーティングされている）Ｆ２面と接着的な接触を形成しており、特には上述のＯＬＥＤ又はＱＬＥＤであるエレクトロルミネッセント素子が、Ｆ２面とＦ３面との間にあり、好ましくは、コリメーション光学素子及び非対称リダイレクション光学素子が、Ｆ２面とＦ３面との間にあり、又は、ホログラフィック非対称リダイレクション光学素子が、Ｆ２面とＦ３面との間にあり、又は、エレクトロルミネッセント素子、特にはＯＬＥＤ若しくはＱＬＥＤが、Ｆ４面上にあり、かつ、好ましくは、ホログラフィック非対称素子が、Ｆ４面の側にあり、又は、好ましくは、コリメーション光学素子及び非対称リダイレクション光学素子が、Ｆ４面の側にある。
【００９６】
積層中間層は、ＦＡ面とＦＢ面との間において、厚みＥＡであり、これは、自動車に関して、好ましくは、最大１．８ｍｍ、さらには最大１．２ｍｍ、さらには最大０．９ｍｍ（さらには少なくとも０．３ｍｍ、さらには少なくとも０．６ｍｍ）であり、特には、第１グレージングの端部面から、最大２ｍｍセットバックしており（奥まっており）、第２グレージングの端部面から、最大２ｍｍセットバックしており、特には、音響性でありかつ／又は着色されている第１シートである。
【００９７】
積層中間層が、１又は複数の、前方、後方、中央などの、シートから形成されており、好ましくは、ポリビニルブチラール（ＰＶＢ）、又はさらにはポリウレタン（ＰＵ）、エチレン／ビニルアセテート（ＥＶＡ）コポリマーでできていてよく、例えば、０．２ｍｍと１．１ｍｍとの間の厚みを有する。積層中間層は、随意に、下記で詳述するように、その厚みにおいて、複合的であってよい（ＰＶＢ／例えばポリエステル、ＰＥＴなどのプラスチックフィルム／ＰＶＢ）。
【００９８】
慣用的なＰＶＢ、例えばＳｏｌｕｔｉａ又はＥａｓｔｍａｎからのＲＣ４１を選択することができる。
【００９９】
積層中間層（後方面の、かつ／又は前方面の、かつ／又は中央の、シート）は、少なくとも、振動音響減衰特性を有する粘弾性プラスチックでできている、中央層と呼ばれる、特にはポリビニルブチラール（ＰＶＢ）及び可塑剤に基づいている、少なくとも１つの層を含むことができ、さらに、中間層は、標準的なＰＶＢでできている２つの外側層を含むことができ、中央層が、２つの外側層の間にある。音響シートの例として、欧州特許第０８４４０７５号明細書に言及することができる。国際公開第２０１２／０２５６８５号、国際公開第２０１３／１７５１０１号に記載の音響ＰＶＢ、特には国際公開第２０１５０７９１５９号に記載の着色されているものに言及することができる。
【０１００】
積層中間層は、音響ＰＶＢを含有することができ、かつ／又は、着色されていること（着色されているＰＶＢであること）ができる。上述の積層中間層は、特には、その厚みにおいて少なくとも部分的にＰＶＢである。着色されている部分は、少なくとも（さらには最大で）エレクトロルミネッセント素子（ＯＬＥＤ、ＱＬＥＤ…）とＦ３面との間にある。
【０１０１】
本発明に係る積層グレージングは、下記を有することができる：
−  無機ガラス製の第１グレージング、例えば比較的薄い無機ガラス製の第２グレージング、
−  無機ガラス製の第１グレージング、例えば比較的薄く随意にＦ４面における保護上方層（「ハードコート」）を有する有機ガラス製（ＰＥＴ、ＰＣ、ＰＭＭＡなどの）の第２グレージング。
【０１０２】
コリメーション光学素子及び非対称リダイレクション光学素子又はホログラフィックリダイレクション光学素子は、例えば、エレクトロルミネッセント素子とともに積層体の中にあり、又は、Ｆ４面にある。特に、積層グレージングの場合には（既述したように）：
−  コリメーション光学素子が、エレクトロルミネッセント素子（ＯＬＥＤ、ＱＬＥＤ）よりも大きく、かつ、固定されており、好ましくは、その後方面を介して、上述の積層中間層に、その周縁部において、特には透明な接着性物質によって、接着的に結合しており、又は、その周縁部において、接着性の接触を形成しており、かつ、随意に、リダイレクション光学素子が、エレクトロルミネッセント素子よりも大きく、かつ、その後方面を介して、コリメーション光学素子に、その周縁部を介して、固定されており、好ましくは、特には透明な接着性物質によって、接着的に結合しており、
−  又は、コリメーション光学素子が、出口表面に、その周縁部を介して、固定されており、好ましくは、特には透明な接着性物質によって、接着的に結合しており、かつ、リダイレクション光学素子が、エレクトロルミネッセント素子よりも大きく、かつ、上述の積層中間層に、その周縁部を介して、固定されており、好ましくは、特には透明な接着性物質によって、接着的に結合しており（又はさらには溶着しており）、若しくは、上述の積層中間層（特には、特にＰＶＢでできている、中央シート）に、その後方面を介して、その周縁部において、（追加的な材料なしで）接着的な接触を形成している。
【０１０３】
エレクトロルミネッセント素子（ＯＬＥＤ、ＱＬＥＤ…）は、単独で、又はホログラフィックリダイレクション光学素子とともに、又はコリメーション光学素子及び非対称リダイレクション光学素子とともに、中間層シートを介して又は２つの中間層シートの間に積層されるためには大きすぎる厚みを有している。特には、エレクトロルミネッセント素子（ＯＬＥＤ、ＱＬＥＤ…）は、積層中間層の開口部に収容されてよく、さらには、コリメーション光学素子若しくはさらには非対称リダイレクション光学素子又はホログラフィックリダイレクション光学素子も、上述の開口部に収容されてよく（さらには、エレクトロルミネッセント素子（ＯＬＥＤ、ＱＬＥＤ…）に、例えば接着性結合によって、その周縁部において、固定されてよく）、開口部が、Ｆ３面の方向において底部によって塞がれておりかつＦ２面に開いており、又は、いわゆる内部開口部が、積層中間層の厚みの中にあり、上述の透明要素が、上述の内部開口部に収容されている保護フィルムであり、又は、上述の内部開口部よりも大きくかつ上述の内部開口部を覆っている。
【０１０４】
開口部は、特にＥ０（又は、コリメーション光学素子が収容される場合には、Ｅ０＋Ｅ１、又は、ホログラフィックリダイレクション光学素子収容される場合にはＥ０＋Ｅ’１、又は、非対称リダイレクション光学素子が収容される場合には、Ｅ０＋Ｅ１＋Ｅ’１）が０．１５ｍｍ超である場合に、有用である。積層中間層の開口部は、設置及び統合を促進し、かつ、性能を向上させる。
【０１０５】
まったく予期しなかったことに、開放性開口部の場合に、中間層は、随意のコリメーション光学素子又はリダイレクション光学素子の作動に悪影響を及ぼすほどに十分には流れない。特には、真空下における配置が、リダイレクション光学素子を、Ｆ２面に対して押し付ける。
【０１０６】
好ましくは、エレクトロルミネッセント素子（ＯＬＥＤ、ＱＬＥＤ…）及びコリメーション光学素子、さらにはリダイレクション光学素子（又はホログラフィックリダイレクション光学素子）が、（好ましくは）ＰＶＢの、又はＰＶＢ／随意に機能性コーティングを有する機能フィルム／ＰＶＢの、開口部にある。
【０１０７】
好ましくは、グレージングが、下記の特徴のうちの少なくとも１つを有する：
−  開口部が、ＰＶＢの厚みの中にあり（又は、その１又は複数の境界が特には認識可能である、１又は複数のシートの中にあり）、
−  開口部が、音響積層中間層の中にあり、特には３層又は４層である中間層の中にあり
−  開口部が、着色されている積層中間層の中にあり
−  開口部が、複合（複数シート）材料：ＰＶＢ／透明プラスチックフィルム又はさらにはＰＶＢ／透明プラスチックフィルム／ＰＶＢ、の中にあり、上述のプラスチックフィルムが、特にはポリエステルフィルム又はＰＥＴのフィルムであり、又は、既述した別のプラスチックのフィルムであり、１ｍｍ以下さらには最大０．２ｍｍ又は最大０．１ｍｍの厚みであり、機能性コーティングを担持しており；低放射性機能若しくは太陽光制御機能かつ／又は加熱機能を備えている。
【０１０８】
無論、ＦＢ面が、Ｆ２面と直接に接触していてよく、又は、この面に慣用的な機能性コーティング、特には、（１若しくは複数の銀層を含む）薄層のスタック、例えば、加熱層、アンテナ層、太陽光制御層若しくはｌｏｗ−Ｅ層、若しくは、装飾層若しくは（不透明）マスキング層、例えば一般に黒色エナメルである層を有していてよい。
【０１０９】
ＦＡ面が、Ｆ３面と直接に接触してよく、又は、この面に慣用的な機能性コーティング、特には、（１若しくは複数の銀層を含む）薄層のスタック、例えば、加熱層、アンテナ層、太陽光制御層若しくはｌｏｗ−Ｅ層、若しくは、装飾層若しくは（不透明）マスキング層、例えば一般に黒色エナメルである層を有していてよい。
【０１１０】
ガラス、好ましくは内側ガラスが、特には薄くかつ１．１ｍｍ未満の厚みを有しており、好ましくは、化学的に強化されている。これは、好ましくは、クリアである。例えば、国際公開第２０１５／０３１５９４号及び国際公開第２０１５０６６２０１号に言及することができる。
【０１１１】
光学フィルムは、それらの周縁部において、一緒に固定されてよく、例えば、特には、好ましくは透明である接着性物質（グルー、両面接着性物質）によって、接着的に結合されてよく、又は、単純に、一方のフィルムの頂部を介して他方のフィルムの後方に接触してよい。
【０１１２】
好ましくは、コリメーション光学素子の固定に関して、下記の解決策が好ましい：
−  コリメーション光学素子が、その後方面を介して、エレクトロルミネッセント素子（ＯＬＥＤ，ＱＬＥＤ…）に、（出口表面の周縁において、さらには照射表面において）、特には、好ましくは透明である接着性物質（グルー、両面接着性物質）によって、固定されている（好ましくは、接着的に結合されており、又はさらには溶着されている、など）、
−  非対称リダイレクション光学素子が、好ましくは、コリメーション光学素子に、最終前方面の周縁部において、固定されており、特には、好ましくは透明である接着性物質によって、固定されており、
−  かつ／又は、ホログラフィックリダイレクション光学素子が、前方面の周縁において、透明要素（保護フィルム、第２グレージング、又はさらには積層中間層など）に、特には、好ましくは透明である接着性物質（グルー、両面接着性物質）によって、固定されている（好ましくは、接着的に結合されており、又はさらには溶着されている、など）。
【０１１３】
接着性物質が視界領域にある場合には、透明である接着性物質（グルー、両面接着性物質）が、好ましい。他の固定手段、例えば（材料の追加なく局所的な接着性接触を形成する）溶着を、選択することもできる。
【０１１４】
発生源の背後に積層中間層を有している積層グレージングの１つの例では、コリメーション光学素子が、Ｆ２面とＦ３面との間にあり、エレクトロルミネッセント素子（ＯＬＥＤ，ＱＬＥＤ…）が、Ｆ２面とＦ３面との間にあり、かつ、エレクトロルミネッセント素子を有する区域において、ＦＡ面が、Ｆ３面と接着的に接触しており、かつ、ＦＢ面が、入口表面と接着的に接触しており、透明要素が、（裸の又はコーティングされている）第２グレージングである。
【０１１５】
積層グレージングの１つの例では、エレクトロルミネッセント素子（ＯＬＥＤ，ＱＬＥＤ…）が、Ｆ２面とＦ３面との間にあり、かつ、ホログラフィックリダイレクション光学素子又はコリメーション光学素子及び非対称リダイレクション光学素子が、エレクトロルミネッセント光学素子とＦ２面との間にあり、かつ、エレクトロルミネッセント光学素子（ＯＬＥＤ，ＱＬＥＤ…）を有する区域において、ＦＡ面が、Ｆ３面（特には、いわゆる後方ＰＶＢシート）と接着的に接触しており、又は出口表面（特にはいわゆる前方ＰＶＢシート）の側にあり、かつ、ＦＢ面が、Ｆ２面と接着的に接触しており、かつ、透明要素が、最終前方面の上の、プラスチック、特にはポリエステル、特にはＰＥＴである保護フィルムであり、例えば、１ｍｍ以下の厚みＥ４を有しており、Ｆ２面の方向に向いておりかつ積層中間層と接着的に接触している面を有している（かつ、非対称プリズム又はホログラフィック特徴構造の間に空気を残したまま、最終前方面に対してＦ３面の方に向いている、面を、有する）。
【０１１６】
プラスチック保護フィルムは、随意に、局所的であり、最大１０ｃｍ、さらには最大５ｃｍ又は最大１ｃｍで最終前方面の端部を超えて延在しているいわゆる延長領域を有しており、特には、この延長部が、積層中間層と接着的に接触している。
【０１１７】
（局所的な又はカバーの）透明保護フィルムは、プラスチック材料（有機ポリマー）でできているフィルムであってよく、特には、熱可塑性材料、好ましくは、ポリエステル、ポリエチレンテレフタレート  ＰＥＴ、ポリエチレン  ＰＥ、ポリカーボネート  ＰＣ、ポリメチルメタクリレート  ＰＭＭＡ、ポリスチレン、ポリアミド、ポリジメチルシロキサン  ＰＤＭＳ、ポリエチレンナフタレート  ＰＥＮ、ポリイミド、ポリアクリレート、ポリスルホン、ポリエーテルスルホン、又は（熱可塑性）ポリウレタンでできているフィルムであってよい。これは、例えば、コリメーションフィルム及び／又はリダイレクションフィルムと同じ材料である。
【０１１８】
積層中間層は、複合体であってよく、かつ、エレクトロルミネッセント素子（ＯＬＥＤ、ＱＬＥＤ…）の区域の外において、下記のスタックを有してよい：ＰＶＢ／随意にＦ２面の側又はＦ３面の側に導電性機能性コーティングを有する、特にはポリエステル又はＰＥＴ（若しくは上述のプラスチックの他の１つ）でできている、機能性プラスチックフィルム／ＰＶＢ、好ましくは１ｍｍ以下の厚みＥ’４を有する機能性プラスチックフィルムが、Ｆ２面にわたって延在する。さらに、エレクトロルミネッセント素子（ＯＬＥＤ、ＱＬＥＤ…）が、Ｆ２面とＦ３面との間にあり、前方面とＦ３面との間に、上述のプラスチックフィルム／上述のＰＶＢが存在し、かつ、透明要素が、前方面にある機能性プラスチックフィルムである。
【０１１９】
局所的な保護フィルムが、例えば、グレージングの領域の最大２０％、又は最大１０％若しくは最大５％を覆っている。特には、コリメーション光学素子及び／又は非対称若しくはホログラフィックリダイレクション光学素子と、前方フィルムとが、同一のサイズであり（さらには、エレクトロルミネッセント素子（ＯＬＥＤ、ＱＬＥＤ…）と同一のサイズであり、又は、端部面から奥まって少なくとも活性領域を覆っており）、又は、前方フィルムの領域が、比較的大きく、かつ、好ましくは、コリメーション光学素子の端部面を、１０ｃｍ超、さらには５ｃｍ超、又は１ｃｍ超、超えて延在する。
【０１２０】
代替的には、保護フィルムが、Ｆ２面の少なくとも３０％、少なくとも５０％、又は８０〜９０％を覆っていてよく、又は、例えば、第１グレージングの端部面から、最大５ｃｍ、最大１ｃｍ、又は最大５ｍｍ、セットバックしていてよい（奥まっていてよい）。好ましくは、これは、特にはＦ２面の少なくとも８０％又は少なくとも９０％を覆っている、低放射性若しくは太陽光制御かつ／又は加熱機能性コーティングを、担持している。
【０１２１】
エレクトロルミネッセント素子の場所に関して（及びそのコリメーション光学素子に関して）、下記である：
−  Ｆ２面が、自由であってよく、グレージングが、一体性であり、例えば、ガラス、ＰＭＭＡ、ＰＣでできており、かつ、非対称若しくはホログラフィックリダイレクション光学素子が、Ｆ２面にあり、又は、グレージングが積層されている場合には、非対称若しくはホログラフィックリダイレクション光学素子が、自由なＦ４面にあり、
−  コリメーション光学素子が、その周縁部において、出口表面の周縁部おいて、その後方面を介して、エレクトロルミネッセント素子に対して、固定されており、特には接着的な結合によって固定されており、特には、好ましくは透明である接着性物質（グルー、両面接着性物質）によって、接着的に結合しており、かつ／又は、エレクトロルミネッセント素子／コリメーション光学素子／非対称リダイレクション光学素子からなるアセンブリ又はエレクトロルミネッセント素子／ホログラフィックリダイレクション光学素子からなるアセンブリが、自由なＦ４又はＦ２面に延在している固定部分を有しており上述のエレクトロルミネッセント要素の出口表面の上にある（粘着性などの）後方保護フィルムを介して、自由なＦ４又はＦ２面に、固定されており、特には、接着的な結合によって固定されており、好ましくは、好ましくは透明である接着性物質（グルー、両面接着性物質）によって、接着的に結合している。
【０１２２】
後方保護フィルムが、別の機能を有してよい。これは、着色されていてよく、かつ／又は、特には少なくとも８０％又は少なくとも９０％を覆っている導電性（太陽光制御、ｌｏｗ−Ｅ）コーティングを担持してよい。
【０１２３】
特にはＦ２面の少なくとも８０％又は少なくとも９０％を覆っている、後方保護フィルムは、ＰＥＴを介して保護上方層（いわゆる「ハードコート」）を有している複合体であってよい。
【０１２４】
自由であるＦ２面又はＦ４面への固定の場合には、自由なＦ２又はＦ４面における追加的な厚みを回避するために、Ｅ０が、最大１ｍｍ、さらには最大０．５ｍｍである。
【０１２５】
好ましくは、エレクトロルミネッセント素子（例えばＯＬＥＤ又はＱＬＥＤ）／コリメーション光学素子／非対称リダイレクション光学素子からなるからなるアセンブリの厚み、又は、エレクトロルミネッセント素子（例えばＯＬＥＤ又はＱＬＥＤ）／非対称リダイレクション光学素子からなるアセンブリの厚みが、最大１ｍｍ、さらには最大０．９ｍｍである。
【０１２６】
好ましくは、エレクトロルミネッセント素子がＦ２面とＦ３面との間にある場合には、積層中間層の追加的な厚みを回避するために、Ｅ０が、最大１ｍｍであり、さらには、最大０．５ｍｍである。
【０１２７】
エレクトロルミネッセント素子（例えばＯＬＥＤ又はＱＬＥＤ）の（自由なＦ２面若しくはＦ４面における、又は、積層グレージングのＦ２とＦ３との間における）場所に関わらず、エレクトロルミネッセント素子（ＯＬＥＤ、ＱＬＥＤ…）は、局所的であってよく、例えば、グレージングの領域の最大２０％、又は最大１０％、又はさらには最大５％を覆ってよく、かつ／又は、コリメーション光学素子が、局所的であってよく、例えば、グレージングの領域の最大２０％、又は最大１０％、又はさらには最大５％を覆ってよい。
【０１２８】
特には、エレクトロルミネッセント素子（例えばＯＬＥＤ又はＱＬＥＤ）、コリメーション光学素子、及び／又はリダイレクション光学素子が、同一のサイズであってよく、若しくは、（少なくとも活性領域を覆って）端部面から奥まっていてよく、又は、コリメーション光学素子及び／又はリダイレクション光学素子の領域が、比較的大きく、かつ、好ましくは、エレクトロルミネッセント素子の端部面を、１０ｃｍ超、又は５ｃｍ超、又は１ｃｍ超、超えて、延在しない。
【０１２９】
（後方）保護フィルムが、局所的であってよく、例えば、グレージングの領域の最大２０％、又は最大１０％、又は最大５％を覆ってよい。特には、コリメーション光学素子、リダイレクション光学素子、及び後方フィルムが、同一のサイズであってよく（さらにはエレクトロルミネッセント素子と同一のサイズであってよく、若しくは、少なくとも活性領域を覆って、端部面から奥まっていてよく）、又は、後方フィルムの領域が、比較的大きく、かつ、好ましくは、コリメーション光学素子及びリダイレクション光学素子の端部面を、１０ｃｍ超、又は５ｃｍ超、又は１ｃｍ超、超えて、延在しない。
【０１３０】
代替的には、（後方）保護フィルムが、（例えば、第１グレージングの端部面から、最大５ｃｍ又は最大１ｃｍ又は最大５ｍｍ奥まって）Ｆ２面の少なくとも３０％、少なくとも５０％、少なくとも６０％、又は少なくとも９０％を覆っていてよい。例えば、これは、低放射若しくは太陽光制御かつ／又は加熱機能性であるコーティングを、担持している。
【０１３１】
上述のエレクトロルミネッセント素子を電気的に接続するための要素が、上述のエレクトロルミネッセント素子に接続されてよく、かつ、グレージングの端部面を超えて延在してよい。
【０１３２】
好ましくは柔軟性である電気的接続要素が、発光素子に固定されてよく（接着的に結合されてよく、溶着されてよく、等）、又は、エレクトロルミネッセント素子に対して押つけられてよく、電気的接続要素は、好ましくは、グレージングの端部面を超えて、延在する。これは、例えば、最大０．２ｍｍ、又は最大０．１５ｍｍ、さらには最大０．１ｍｍである厚みを有する。
【０１３３】
電気的接続要素（ストリップ又はワイヤ）は、入口表面又は出口表面の１つ（又は１超）の周縁区域において、エレクトロルミネッセント素子に接続してよい。
【０１３４】
１つの実施態様では、電気的接続要素が、２つの金属ワイヤ又は金属ストリップのアセンブリである。
【０１３５】
１つの実施態様では、電気的接続要素が、好ましくは透明プラスチック材料、好ましくは、ポリエステル、ポリエチレンテレフタレート若しくはＰＥＴ、又はポリイミドでできているフィルムを有しているストリップ（平坦コネクタ）であり、特には金属（銅など）であり又は透明伝導性酸化物である伝導性トラックを備えている。
【０１３６】
伝導性トラックは、プリントされ、又は、任意の他の堆積方法、例えば物理気相堆積によって、堆積される。伝導性トラックは、ワイヤであってもよい。好ましくは、伝導性トラック及びフィルムは、それらが可視的である場合、すなわち、それらが、特にはＦ４面又はＦ３面において、マスキング要素（層）（例えばエナメル、さらにはペイント、など）によってマスクされてない場合には、透明である。伝導性トラックは、透明性の材料に起因して透明であってよく、又は、それらの、（視覚的に）不可視である程度に十分に薄い幅に起因して、透明であってよい。
【０１３７】
ポリイミドフィルムは、代替的なＰＥＴ又はさらにはＰＥＮ（ポリエチレンナフタレート）フィルムよりも、高い温度耐性を有している。
【０１３８】
電気的接続要素は、（全体的に又は部分的に）ルーフの可視領域にあってよく、随意に、（不透明枠を形成しうる）不透明周縁ストリップ、例えば（黒色、暗色などの）マスキングエナメルのストリップから、離されていてよい。多くの場合、Ｆ２面には不透明層があり、Ｆ４面、さらにはＦ３面に、不透明層がある。それらの幅は、同一であり又は異なっている。
【０１３９】
Ｆ２面及び／又はＦ３面及び／又はＦ４面における不透明周縁ストリップの幅Ｌｉは、好ましくは、少なくとも１０ｍｍ、さらには少なくとも１５ｍｍである。したがって、電気的接続要素の長さが、Ｌｉよりも大きくてよい。
【０１４０】
電気的接続要素は、積層グレージングの周縁端部に沿って、一般にはＦ２面及び／若しくはＦ４面に又はＦ２面及び／若しくはＦ３面に、不透明層特には（黒色）エナメルの領域に又はその近傍に、配置されていてよい。
【０１４１】
したがって、第１の実施態様においては、Ｆ２における不透明層（最も外部側の不透明層）例えば（黒色）エナメルの層の存在に起因して、外側ガラスが全体的に（又は部分的に）不透明になっている、グレージングの領域に、電気的接続要素が、配置されていることも可能である。この不透明層は、グレージングのこの領域において、開口部を有しない層（連続的な背景）であってよく、又は、１若しくは複数の非連続部（不透明層を有しない領域）を有する層であってよく、この層は、例えば、一組の、随意に同一又は異なるサイズ（端部面からの距離に応じて減少するサイズ、及び／又は、端部面からの距離に応じて徐々に離れていく特徴構造）の幾何学的（円形、矩形、正方形などの）特徴構造の形態を呈する。
【０１４２】
この第１の実施態様では、エレクトロルミネッセント素子、例えばＯＬＥＤ又はＱＬＥＤ、及び電気的接続要素が、内部からのみ可視的であってよく、したがって、Ｆ２面における不透明層によってマスキングされていてよい。
【０１４３】
好ましくはＦ４又はさらにはＦ３における、不透明層（最も内側の不透明層）例えば（黒色）エナメルの層の存在に起因して、内側ガラスが不透明になっている、グレージングの領域に、電気的接続要素が、配置されていることができる。エレクトロルミネッセント素子、例えばＯＬＥＤ又はＱＬＥＤが、グレージングのこの領域に配置されてよく、その場合、この不透明層が、エレクトロルミネッセント素子に垂直な、（堆積の間における覆いを介して又は特にはレーザーによる除去によって製造される）開口部を、有している。
【０１４４】
エレクトロルミネッセント素子は、乗り物の後方においてと同様に、乗り物の前方において、例えばグレージングの長さ方向端部又は側方端部に沿って、適切に配置される。それぞれの座席に面している読書ライトが、好ましい。
【０１４５】
複数のエレクトロルミネッセント素子の場合には、それらは、直列で若しくは並列でかつ／又は独立に、接続されてよい。２つのエレクトロルミネッセント素子が、電気接続の役割を有する共通の要素の上にあってよい。
【０１４６】
２つのエレクトロルミネッセント素子が、離れていてよく、かつ、好ましくは可能な限り目立たない電気的接続要素によって、例えばワイヤ又は透明平坦コネクタによって、一緒に接続されてよい。
【０１４７】
乗り物の１つの実施態様では、乗り物が、エレクトロルミネッセント素子（例えばＯＬＥＤ又はＱＬＥＤ）を駆動するための少なくとも１つの制御ユニットを有しており、さらには、少なくとも１つのセンサ、特には照明度を検出するためのセンサを、有している。（それぞれの）エレクトロルミネッセント素子（ＯＬＥＤ又はＱＬＥＤ）を駆動するための制御ユニットが、積層グレージングの中にあってよく、又はグレージングの上にあってよい。
【０１４８】
乗員コンパートメントの加熱を制限するために、又は、エアコンディショニングの使用を制限するために、少なくとも第１グレージング又はグレージングのうちの１つ（好ましくは外側ガラス）が、着色されている。さらには、特には積層されている、グレージングが、また、好ましくはＦ４面又はＦ２面若しくはＦ３面に、太陽光放射を反射若しくは吸収する層を有していてもよく、特には、透明導電性酸化物の層、すなわち、ＴＣＯ層と呼ばれる透明導電性酸化物の層を有していてもよく、又は、少なくとも１つのＴＣＯ層を有する薄層のスタックを有していてもよく、又は、少なくとも１つの銀の層を（積層グレージングに関してＦ２又は好ましくはＦ３に）含み銀層若しくはそれぞれの銀層が誘電体層の間に配置されている、薄層のスタックを、有していてもよい。Ｆ２面及び／又はＦ３面における（銀含有）層、並びに、Ｆ４面におけるＴＣＯ層を、同時に有することが可能である。
【０１４９】
（透明導電性酸化物の）ＴＣＯ層は、好ましくは、フッ素でドープされたスズ酸化物（ＳｎＯ２：Ｆ）の層、又は、混合インジウムスズ酸化物（ＩＴＯ）の層である。
【０１５０】
他の層が可能であり、例えば、（”ＩＺＯ”として言及される）混合インジウム亜鉛酸化物に基づく薄層、ガリウムでドープされている若しくはアルミニウムでドープされている亜鉛酸化物に基づく薄層、ニオブでドープされているチタン酸化物に基づく薄層、カドミウム若しくは亜鉛のスズ酸に基づく薄層、又は、アンチモンでドープされているスズ酸化物に基づく層が、可能である。アルミニウムでドープされている亜鉛酸化物の場合には、ドープの程度（すなわち、合計の重量に対する、アルミニウム酸化物の重量）が、好ましくは、３％未満である。ガリウムの場合には、ドープの程度が、比較的高くてよく、典型的には、５％〜６％にわたる範囲である。
【０１５１】
ＩＴＯの場合には、Ｓｎの原子割合が、好ましくは、５％〜７０％、特には１０％〜６０％にわたる範囲である。フッ素でドープされているスズ酸化物に基づく層の場合には、フッ素の原子割合が、好ましくは、最大５％であり、一般に１〜２％である。
【０１５２】
ＩＴＯが、特に好ましく、特にはＳｎＯ２：Ｆに関して、特に好ましい。比較的高い導電性を有しているため、１つの同一の放射率レベルを得るために、その厚みを、比較的小さくすることが可能である。これらの層は、カソードスパッタリング法、特にはマグネトロンカソードスパッタリング法によって容易に堆積することができ、比較的低い粗さしたがって比較的低い欠陥率を有するという特徴を有する。
【０１５３】
他方で、フッ素でドープされているスズ酸化物の利点のうちの１つは、化学気相堆積（ＣＶＤ）によって容易に堆積することができる点であり、化学気相堆積（ＣＶＤ）は、カソードスパッタリング法とは異なり、その後の熱処理を必要とせず、フロートプレートガラス製造ラインにおいて実施することができる。
【０１５４】
用語「放射率」は、規格ＥＮ１２８９８の意味の範囲内で、２８３Ｋにおける標準放射率を意味しているものと理解される。低放射率層（ＴＣＯなど）の厚みは、層の性質に応じて、調節され、それにより、所望の放射率が得られるようにされる。所望の放射率は、望まれる熱性能品質に依存する。低放射率層の放射率は、例えば、０．３以下、特には０．２５以下、又はさらには、０．２以下である。ＩＴＯ製の層の場合には、厚みが、一般に、少なくとも４０ｎｍ、さらには少なくとも５０ｎｍ、さらには少なくとも７０ｎｍであり、大抵の場合は、最大１５０ｎｍ、又は最大２００ｎｍである。フッ素でドープされているスズ酸化物でできている層に関して、厚みは、一般に、少なくとも１２０ｎｍ、さらには少なくとも２００ｎｍであり、かつ、大抵は、最大で５００ｎｍである。
【０１５５】
例えば、低放射率層は、下記の配列を含む：高屈折下方層／低屈折下方層／ＴＣＯ層／随意の誘電体上方層。
【０１５６】
（強化処理の間に保護される）低放射率層の好ましい例として、高屈折下方層（＜４０ｎｍ）／低屈折下方層（＜３０ｎｍ）／ＩＴＯ層／高屈折上方層（５〜１５ｎｍ）／低屈折バリア上方層（＜９０ｎｍ）／最終層（＜１０ｎｍ）を、選択することができる。
【０１５７】
低放射率層として、米国特許出願第２０１５／０１４６２８６号明細書に記載の、Ｆ４面における、特には例１〜３に記載の低放射率層に言及することができる。
【０１５８】
好ましい実施態様では：
−  第１及び／若しくは第２グレージングが、着色されており、かつ／若しくは、積層中間層が、その厚みのすべて若しくはいくらかにわたって、着色されており、
−  かつ／又は、グレージングのＦ２面若しくはＦ３面若しくはＦ４面のうちの１つ、好ましくはＦ４面が、低放射率層でコーティングされており、特には、透明導電性酸化物層（ＴＣＯ層）を含む低放射率層でコーティングされており、特には、ＴＯＣ層を含有する薄層のスタック、若しくは、１若しくは複数の銀層を含有する薄層のスタックで、コーティングされており、
−  かつ／又は、グレージングのＦ２面若しくはＦ３面若しくはＦ４面のうちの１つ、好ましくはＦ３面が、太陽光制御層で、特には透明導電性酸化物層（すなわち、ＴＣＯ層と呼ばれる層）を含む太陽光制御層で、特には、ＴＯＣ層を含有する薄層のスタック、若しくは、１若しくは複数の銀層を含有する薄層のスタックで、コーティングされており、
−  かつ／又は、追加的に着色されている（ポリマー性の、例えば、ポリエチレンテレフタレート  ＰＥＴ、などの）フィルムが、Ｆ２面とＦ３面との間に、若しくは、Ｆ４面に（結合して）、存在し、さらには、Ｆ１面に、存在する。
【０１５９】
特には、グレージングのＦ４面が、特には低放射率透明機能性層で、コーティングされており、この透明機能性層が、好ましくは、ＴＣＯ層を含んでいる。
【０１６０】
本発明は、無論、任意の乗り物に関し、特には、例えば上述のようなグレージングを少なくとも１つ有する、自動車に関する。
【０１６１】
本発明は、また、比較的高い単純性を達成すること、かつ／又は、レートを向上することも、目的としている。
【０１６２】
この目的のために、本発明の１つの主題は、下記を有する製造方法である：設置の前に、第１グレージングにおいて（例えば接着的な結合によって、後方保護プラスチックフィルムを介して、例えば、単層グレージングのＦ２面において、若しくは積層グレージングのＦ４面において、若しくは、最終光学フィルム若しくは最終保護フィルムの周縁的結合によって、単層グレージングのＦ２面において、若しくは積層グレージングのＦ４面において、又は、積層グレージングの２つのグレージングの間において）、エレクトロルミネッセント素子（ＯＬＥＤ、ＱＬＥＤなど）に、その出口表面において、下記を、事前取付すること：
−  フィルムに基づいているコリメーション光学素子、さらにはフィルムに基づいているプリズム状リダイレクション光学素子、特には、周縁的な固定によって、さらには、随意に封止を形成する周縁的な固定によって、特には、周縁的な固定によって、さらには、随意に封止を形成する周縁的な固定によって、事前取付する、
−  又は、フィルムに基づいているホログラフィックリダイレクション光学素子、特には、周縁的な固定によって、さらには、随意に封止を形成する周縁的な固定によって、事前取付する、
−  随意に、随意に着色されている、保護フィルムを、最終リダイレクション光学フィルムに、特には、周縁的な固定によって、さらには、随意に封止を形成する周縁的な結合によって、事前取付する。
【０１６３】
好ましくは、すべてが、固定され、さらには、周縁的に接着的に結合され、それにより随意に封止を形成するようにする。
【０１６４】
このために、本発明は、発光性積層グレージング、例えば上述の積層グレージング、を製造するための、下記の工程を有する方法も、提案する：
−  エレクトロルミネッセント素子、特にはＯＬＥＤを、開口部を有しない積層中間層シートに、若しくは、貫通若しくはふさぎ開口部に、配置すること（又はさらには、特には、好ましくは透明接着性物質による、接着的な結合によって、固定すること、若しくは、スポット加熱などによって、接着的な接触を形成することによって、固定すること）、又は、同時に若しくは別個に、コリメーション光学素子及び非対称リダイレクション光学素子若しくはホログラフィックリダイレクション光学素子を、エレクトロルミネッセント素子に面して、配置すること、
並びに、逐次的に：
−  このアセンブリを、第１グレージングと第２グレージングとの間に配置して設置すること、
−  真空下で、かつ加熱を伴って、又はさらには加圧下で（かつ加熱を伴って）、例えばオートクレーブなどで、積層すること。
【０１６５】
したがって、操作は、工業的な積層ラインの外で、行われる。
【０１６６】
方法は、さらに、下記を含んでよく、又は、下記を提供してよい：
−  エレクトロルミネッセント素子、特にはＯＬＥＤを、上述の積層中間層シートに、出口表面の側で、貫通若しくはふさぎ開口部の中に、配置すること、ホログラフィックリダイレクション光学素子若しくはコリメーション光学素子若しくはさらには非対称リダイレクション光学素子を、開口部に収容し、出口表面の周縁において、固定すること、好ましくは、接着的に結合すること、若しくは、非対称若しくはホログラフィックリダイレクション光学素子で、開口部を塞ぎ、かつ子の素子を上述の積層中間層シートに配置すること、
−  上述の配置の前に、局所的な保護フィルムを、ホログラフィック若しくは非対称のリダイレクション光学素子の最終前方面に、固定すること、特には、接着性の結合によって、固定すること、かつ、上述の配置の間に、上述の積層中間層に、局所的な保護フィルムを収容するふさぎ穴部を設けること、若しくは、上述の積層中間層に、貫通穴部を設け、別の積層中間層で穴部を閉じること、
−  上記積層中間層に、エレクトロルミネッセント素子特にはＯＬＥＤ、及びコリメーション光学素子及び非対称リダイレクション光学素子、又は、エレクトロルミネッセント素子及びホログラフィックリダイレクション光学素子を収容する貫通開口部を設けること、方法は、穴部を閉じる保護フィルムを配置すること、及び、随意に既に保護フィルムと接着的に接触している別の中間層シートで保護フィルムを覆うことを、含む、  −  下記の場所において、エレクトロルミネッセント素子、特にはＯＬＥＤの区域の外で、加熱及び圧力によって、ポイント接着性接触を形成すること：
−  上述の中間層シートと、出口表面の側の、別のいわゆる後方中間層シートとの間、
−  かつ／又は、上述の中間層シートと、出口表面の側の、別のいわゆる前方中間層シートとの間
−  かつ／又は、コリメーション光学素子と、非対称リダイレクション光学素子との間、若しくは、ホログラフィックリダイレクション光学素子と、中間層シート若しくは別の中間層シートとの間、
エレクトロルミネッセント素子及びさらにはコリメーション光学素子及び非対称リダイレクション光学素し又はエレクトロルミネッセント素子及びホログラフィックリダイレクション光学素子が、上述の中間層シートのうちの１つの貫通若しくはふさぎ穴部にあり、かつ／又は、エレクトロルミネッセント素子及びさらにはコリメーション光学素子及び非対称リダイレクション光学素子、若しくはエレクトロルミネッセント素子及びホログラフィックリダイレクション光学素子が、上述の中間層シートと、他の前方中間層シート若しくは後方中間層シートとの間に挟まれている。
【０１６７】
−  上述の（開口部を有する、又は開口部を有しない）中間層シートが、随意に音響ＰＶＢシートであり、又は、ＰＶＢ／機能性プラスチックフィルムの（事前アセンブルされている若しくはされていない）複合体若しくはＰＶＢ／機能性プラスチックフィルム／ＰＶＢの（事前アセンブルされている若しくはされていない）複合体であり、配置が、ＰＶＢの上でなされ、又は、機能性フィルムの上でなされる；ＰＶＢが開口部を有する場合には、機能性フィルムが、好ましくは、開口部を有しない。
【０１６８】
好ましくは、積層の前に、貫通又はふさぎ穴部が、０．３ｍｍ〜０．９ｍｍの厚みＥｔであり、Ｅ１−Ｅｔの絶対値が、最大０．３ｍｍであり、又は、Ｅｉ−ＯＬＥＤ及び１若しくは複数の光学素子の合計の厚みが、最大０．３ｍｍである。
【０１６９】
下記が、好ましく使用されてよい：
−  ふさぎ穴部を有しており、好ましくは随意に音響ＰＶＢである、第１の唯一のシート
−  貫通穴部及びふさぎ穴部を有する第１の（ＰＶＢ）シート、並びに、穴部を有しない第２の（ＰＶＢ）シート、
−  開口部を有しない第２の（ＰＶＢ）シートと、開口部を有しない第３の（ＰＶＢ）シートとの間の、貫通穴部、ふさぎ穴部を有する第１の（ＰＶＢ）シート。
【０１７０】
特には：
−  Ｆ３側の後方シートが、随意に音響性でありかつ／若しくは着色されているＰＶＢであり、０．３〜０．９ｍｍの厚みＥｉを有する、
−  かつ／又は、中央シートが、随意に音響性でありかつ／若しくは着色されているＰＶＢであり、０．３ｍｍ〜０．９ｍｍの厚みの貫通穴部若しくはふさぎ穴部を有し、Ｅ１−Ｅ２が、絶対値で、最大０．３ｍｍである、
−  かつ／又は、Ｆ２側の前方シートが、クリア若しくは超クリアであり、随意に音響性のＰＶＢであり、０．３〜０．９ｍｍの厚みＥｋを有する。
【０１７１】
局所的な接着性接触を形成することは、方法の残りの間に、要素を互いに強固に固定したままにすることを可能にする。
【０１７２】
アセンブリと、第１及び第２グレージングの少なくとも１つとの間の局所的な接着性接触を形成するために、随意に、方策がとられる。
【０１７３】
それぞれの接着性接触は、例えば、最大１５ｍｍの幅である。
【０１７４】
特にかつ有利には、局所的な接着性接触が、積層中間層の（ＰＶＢに関して６０℃〜８０℃である）局所的な加熱によって、さらには圧力を適用することによって、作り出される。
【０１７５】
局所的な加熱は、特には、誘導、高温空気、加熱要素、（レーザーなどの）放射によって、行われる。
【０１７６】
加熱具として（さらには圧力適用具として）、（熱を通過させることができる（シリコーン、ＰＴＦＥエラストマーなどの）非接着性コーティングを有している）フラットエンド具を有する「はんだ付けアイロン」、加熱フィンガー、又はホットエアガンを、使用することもできる。
【０１７７】
単一の操作で種々のポイント接着スポットを製造することが可能な加熱具を選択することができる。
【０１７８】
局所的な保護フィルムは、下記であってよい：
−  リダイレクション光学素子の周縁部に接着的に結合している、
−  好ましくは加熱によって、ポイント接着性接触が作られる前に、ＰＶＢの後方面に、事前に接着的に結合している
−  好ましくは加熱によるポイント接着性接触の形成によって、特にはＯＬＥＤであるエレクトロルミネッセント素子のための開口部を有する中央ＰＶＢの面に、接着的に結合している。
【０１７９】
カバー保護フィルムが、下記であってよい：
−  好ましくは加熱によってポイント接着性接触が作られる前に、ＰＶＢの後方面に、事前に、接着的に結合されている
−  好ましくは加熱によるポイント接着性接触の形成によって、特にはＯＬＥＤであるエレクトロルミネッセント素子のための開口部を有する中央ＰＶＢの面に、接着的に結合している。
【０１８０】
方法は、下記を含んでよい：中央ＰＶＢシートと呼ばれるシート、又は、ＰＶＢ／機能性プラスチックフィルム例えば随意の機能性コーティングを備えているＰＥＴフィルムからなる複合シート、若しくはＰＶＢ／機能性プラスチックフィルム例えば随意の機能性コーティングを保持しているＰＥＴフィルム／ＰＶＢからなる複合シートを、提供すること、貫通開口部に、積層前に、エレクトロルミネッセント素子、特にはＯＬＥＤ、及び随意に出口表面にその周縁において接着的に結合しているコリメーション光学素子が、収容されている。
【０１８１】
方法は、中央シートと、後方シート若しくは前方シート及び／又は特にはＯＬＥＤであるエレクトロルミネッセント素子との間に、局所的な接着性接触を作り出すことを含むことができる。
【０１８２】
慣用的に、積層は、脱ガス処理を含み、かつ、オートクレーブ処理を含むことがあり、これは、適切な温度及び圧力の実施を意味している。慣用的に、オートクレーブ処理の間に、シート、例えばＰＶＢを、比較的高い温度（ＰＶＢに関して１００℃超の温度）にまで上げ、そのようにして、軟化させ、かつ、流れることを可能にする。複数の特にはＰＶＢであるシートを使用する場合には、注目すべき効果が起こる；すなわち、種々のＰＶＢシートの界面が、消失する。ＰＶＢは、いわばスカーによって、オートクレーブ後の最後に、連続的でかつ均一なフィルムを形成する。
【０１８３】
潜在的な開口部の幅に影響しうる積層は、中間層のリフローによって達成される。リフローによって、積層中間体（第１シート、リーフ、又は複合シート）が、エレクトロルミネッセント素子よりも大きい、さらにはコリメーション光学素子よりも大きい、開口部を有する。
【０１８４】
それぞれのシートは、好ましくは、Ｆ２面の少なくとも８０％又は少なくとも９０％を覆うように寸法され、Ｆ２面を超えて延在してよい。
【０１８５】
それぞれのシートは、好ましくは、ＰＶＢである。
【０１８６】
本発明を、添付の図面を参照してさらに詳細に記載する。
【０１８７】
図面は、縮尺どおりではなく、概略的なものである。
【０１８８】
図面では、すべて、光源として、ＯＬＥＤを描写しているが、変形態様として、ＱＬＥＤ又はＴＦＥＬを選択することができる。図面は、すべて、幾何光学の法則に従っているコリメーション光学素子及びリダイレクション光学素子を描写している。光源の変更とともに、又はそれに代えて、非対称リダイレクション光学素子（及びコリメーション光学素子）を、ホログラフィックリダイレクション光学素子に置換することが可能である。偏差角は、光の周期及び波長に依存する。
【０１８９】
図１は、リアウィンドウ１０００の外部側の平面図であり、リアウィンドウが、２つの例示的なＯＬＥＤを有しており、このＯＬＥＤが、本発明に係るコリメーション及びリダイレクション光を提供し、したがって、第１の、例えば単層の、ガラスシート１のＦ１外側面１１の方向に、光を提供する。
【０１９０】
下記が見られる：
−  光学素子５（コリメーション光学素子及び、その上のリダイレクション光学素子５、これは、地面の方向にリダイレクトする）によってコリメートされかつリダイレクトされたＭＶレッド光を提供する第１のＯＬＥＤ又は一連のＯＬＥＤ３、これは、上方端部に沿っており、かつ中央に寄っており、矩形のストリップを形成し、それによって、第３停止ライト１０１（区域Ｌ３）を形成している
−  光学素子５（地面の方向に向いている、コリメーション及びリダイレクション５）によってコリメートされかつリダイレクトされたＭＶイエロー光を提供する第２のＯＬＥＤ又は一連のＯＬＥＤ３、これは、下方端部に沿って、中央から外れて、矩形のストリップを形成しており、それによって、インジケーターサイドリピーターライト１０３（区域Ｌ４）を形成している。
【０１９１】
ＯＬＥＤは、ガラスの端部を超えて延在するコネクタ３５によって電力の供給を受ける。随意に、コネクタは、外部から、周縁的マスキング層によって隠され、この周縁マスキング層は、特には、面Ｆ２における黒色エナメル（図示しない層）でできている。
【０１９２】
変形態様として、ＯＬＥＤは、ピクトグラムを形成してよい。
【０１９３】
図１ａは、ＯＬＥＤ３（１又は複数の、隣り合っており又は離れており、例えばそれぞれ矩形である、ＯＬＥＤ）の平面詳細図であり、ＯＬＥＤが、出口表面３０’の側において、水平方向Ｈに沿って延在するプリズムの配列でできているコリメーション光学素子を備えており、この光学素子の上に、水平方向Ｈに沿って延在している非対称プリズムの配列でできているリダイレクション光学素子５がある。
【０１９４】
例えばそれぞれ矩形形状であり薄くかつ透明の光学フィルムが好ましく、特に、２若しくは３又はそれ以上のフィルムのスタックが、好ましい。
【０１９５】
図１’ａは、コリメーション光学素子及びリダイレクション光学素子５を備えている、複数の隣り合っている（例えばそれぞれ正方形又は矩形である）ＯＬＥＤ３の、代替的な平面詳細図である。ＯＬＥＤの間において、光学素子（非機能性部分５５’）は、小さい幅であってよく、又はさらには、ゼロの幅であり、又は、テクスチャを有していなくてよい。それぞれの光学素子に関して、１又は複数の薄くかつ透明であり、例えば矩形形状であり（一定の幅又は上述のようにＯＬＥＤの間において小さい幅を有する）光学フィルム、特には２若しくは３又はそれ以上のフィルムのスタックが、好ましい。
【０１９６】
図１ｉは、本発明に係るコリメーション光学素子の全体図である。図１Ｘは、鋭角の頂部Ｓ、及び、プリズムの、代表する角度、すなわち、頂部における角度、プリズム状光学フィルムの平面に対する角度を有する、コリメーション光学素子の、断面図である。
【０１９７】
コリメーション光学素子５ａは、ここでは、プリズム状光学フィルムであり、これは、例えば、その周縁部において、両面接着性物質又はグルーによって、ＯＬＥＤの出口表面に（進入側に空気で充填されたキャビティを生成して）固定される。これは、例えば、０．３ｍｍ厚未満のプラスチックフィルムであり、ＰＥＴでできており、その厚みにおいて部分的にテクスチャ化されている。
【０１９８】
これは、その前方面に、好ましくは連続的でありさらには対照的であるプリズムの配列を含み、このプリズムの配列は、頂部Ｓ及び、１０μｍ〜５００μｍの頂部間の周期Ｔを有し、参照方向（ここでは、バックウィンドウに関して水平方向、又は変形態様としてウィンドシールドに関して水平方向）に対して最大１０°の角度を形成し又は平行である軸に沿って、延在している。
【０１９９】
それぞれのプリズムは、２つの長さ方向面４１、４２で規定され、それぞれのプリズムは、６０°〜１１０°の範囲の、さらには９０°の、頂部における角度を有し、かつ、それぞれの長さ方向面が、光学フィルム４の平面に対して、３０°〜５５°の範囲の、さらには４５°の角度を形成する。
【０２００】
例えば、周期が、１６０μｍであり、高さが、８０μｍであり、残余の厚みが１７５μｍであり、頂部及び谷側における９０°（＋−２０ａｒｃ）の角度を有する。
【０２０１】
空気が、ＯＬＥＤの出口表面と、コリメーション光学素子のこの単層光学フィルム５ａの入口表面との間にある。
【０２０２】
空気が、コリメーション光学素子の前方面のプリズムの間にある。それぞれの前方面の特徴構造の頂部が、Ｆ２面と物理的な接触を形成している。
【０２０３】
図１’は、ＯＬＥＤの平面外部側詳細図であり、このＯＬＥＤが、周縁部を介してＯＬＥＤ３（キャリア３’の上）の技術端部に面して接着的に結合しているコリメーション光学素子及びリダイレクション光学素子５を、有する。プリズムの長さ方向軸が、バックウィンドウ（又はウィンドシールド）の側部の間で水平である。
【０２０４】
接着的な結合は、枠状であってよく、かつ、封止を形成してよい。
【０２０５】
図１Ｙは、本発明に係る別のコリメーション光学素子４の全体図である。この図は、図１Ｘとは、下記の点で異なる：頂部が、丸みを帯びており、かつ、側方面が、湾曲している；プリズムを表す角度（頂部における角度、フィルムの平面に対する角度）が、Ａにおいて交わり屈曲点Ｉ１、Ｉ２を通る２つの直線ｂ１、ｂ２に基づいて、規定される。曲率の半径も、制限される。
【０２０６】
図１ｊは、本発明に係るコリメーション光学素子の全体図である。
【０２０７】
この図は、図１ｉとは、下記の点で異なる：コリメーション光学素子を形成するために、９０°で交差しておりかつ例えばその周縁部で第１プリズム状フィルム５ａに接着的に結合している（溶接されている等）同一の第２のプリズム状フィルム５ｂが、追加されている。
【０２０８】
図１ｋは、コリメーション光学素子の全体図である。
【０２０９】
この図は、前の図とは、下記の点で異なる：（プラスチックフィルムであり、その厚みにおいて部分的にテクスチャ化されており、例えば０．６ｍｍ未満の厚みのＰＥＴ製である）コリメーション光学素子４が、二次元の特徴構造を担持している。
【０２１０】
それぞれの二次元特徴構造は、側部ｅによってフィルム５ａに対して垂直な平面Ｐにおいて規定され、それぞれの二次元特徴構造が、６０°〜１１０°の範囲の頂部における角度を有し、側部と平面Ｐとのそれぞれの交差部が、フィルムの平面と、３０°〜５５°の範囲の角度を形成する。好ましくは、９０°の（平面Ｐにおける）頂部における角度が選択され、かつ、他の２つの角度として、４５°が選択される。
【０２１１】
二次元特徴構造は、ここでは、隆起しており、それぞれの前方面の特徴構造の頂部が、自由であり、又は、透明要素（例えば、外側グレージングのＦ２面）と物理的な接触を形成しており、かつ、空気が、二次元特徴構造の間にある。
【０２１２】
図１ｌは、本発明に係るコリメーション光学素子の全体図である。
【０２１３】
この図は、前の図とは、下記の点で異なる：この図では、二次元特徴構造がくぼんでおり、二次元特徴構造の配列が、キャビティの配列であり、頂部Ｓが、乗員コンパートメントの内部に（積層グレージングのＦ３面の方に）向いており、かつ、それぞれのキャビティの上方表面が、自由であり、又は、透明要素（第２グレージング等）と物理的な接触を形成しており、かつ、空気が、キャビティの中にある。
【０２１４】
光がコリメートされると、その光を、バックウィンドウに関しては地面の方向に（リアウィンドウに関しては後方の方向に、等）リダイレクトする必要がある。
【０２１５】
図１Ｚは、コリメーション光学素子の前方面に配置される（その周縁部に、例えば接着性結合若しくは溶着によって固定される、又は最大１ｍｍでそこから離される）こととなるリダイレクション光学素子の平面図である。これは、リダイレクション光学フィルムであり、この光学フィルムは、頂部及び１０μｍ〜５００μｍの頂部間の周期Ｔ’を有する非対称プリズムの配列を有し、好ましくは、出口表面（又は発光表面）に面して少なくとも４又はさらには少なくとも１０の特徴構造を有する。
【０２１６】
したがって、リダイレクション光学素子が、第１光学フィルム５を有し、このフィルムが、非対称プリズム状であり、出口表面とは反対側の主面、最終前方面と呼ばれる面において、上述の非対称プリズムの配列を有し、この配列が、上述の第１軸に対してかつ／又はグレージングの参照方向（バックウィンドウの水平方向）に対して、最大１０°最大５°又は最大２°の角度を形成しさらには平行である第３軸に沿って長さ方向に延在しており、特には、１ｍｍ以下の厚みを有する。
【０２１７】
それぞれの非対称プリズムが、第１及び第２長さ方向面によって規定され、プリズムが、好ましくは、Ｌ＞２ＷさらにはＬ＞５Ｗ又はＬ＞１０Ｗである長さＬ及び幅Ｗを有する。それぞれの非対称プリズムが、５０°〜６０°さらには５５°±５°又は５５°±２°の範囲の頂部における角度ａ’０を有し、かつ、（長面と呼ばれる）第１長さ方向面５１が、フィルムの平面に対して、３１°〜４１°さらには３５°±５°又は３５°±２°の範囲の第１角度を形成する（無論、（短面と呼ばれる）第２長さ方向面５２が、７９°〜９９°さらには８５°〜９０°又は８８°〜９０°、好ましくは最大９０°の範囲の、フィルムの平面に対する第２角度を形成する）。好ましくは、差異ａ４−ａ３が、４０°超であり、さらには５０°超である。
【０２１８】
変形態様として、非対称プリズム状である２つの平行な光学フィルムからなるアセンブリが、選択される。
【０２１９】
図２は、１つの実施態様に係る、本発明に従ってコリメートかつリダイレクトされた光を提供するＯＬＥＤを有する単層リアウィンドウ（バックウィンドウ）の断面図である。
【０２２０】
このバックウィンドウ２００は、有機又は無機ガラスでできている透明第１グレージング１を含み、Ｆ１面及びＦ２面と呼ばれる主面１１、１２、及び端部面０、並びに、（随意に湾曲している）グレージングの平面における水平であるいわゆる参照方向を、有する。
【０２２１】
ＯＬＥＤ３は、Ｆ２面に向かってＭＶレッドを照射し、かつ、少なくとも５ｃｍの長さ及び少なくとも１ｃｍの幅の照射領域を有し、好ましくは、１ｍｍ以下である厚みＥ０を有し、５０°〜７０°の頂部における照射半角を有し、主要な照射方向が、上述のＯＬＥＤの平面に対して垂直である。
【０２２２】
ＯＬＥＤの出口表面に、周縁接着性結合６１によって、第１軸に沿って長さ方向に延在している上述のプリズムの配列を有する第１光学フィルム５ａが、固定されている。
【０２２３】
この第１フィルムの前方面に、周縁接着性結合６２によって、上述の第１軸に対して９０°の角度を形成している第２軸に沿って長さ方向に延在している第２のプリズムの配列を有する第２光学フィルム５ｂが、固定されている；第１軸又は第２軸が、参照方向に対して、ゼロの角度を形成している。
【０２２４】
この第２フィルムの前方面に、周縁接着性結合６３によって、参照方向において長さ方向に延在している長面５１及び短面５２を有する非対称プリズムの配列を有する第１リダイレクション光学フィルム５が、固定されている。
【０２２５】
長面に対する垂直Ｎが、Ｆ２面の方向に向いており、かつ、リアウィンドウ又はウィンドシールドの上方に（リダイレクションに関しては、地面の方向に）向いている。
【０２２６】
このリダイレクションフィルムの前方面は、周縁接着性結合６４（グルー、両面接着性物質等）によって、Ｆ２面（又は、積層されている場合にはＦ４面）に、固定されている；これは、随意であり、なぜならば、ここでは、接着性物質６５を有する保護後方フィルム７、ここでは二重層７０、７１が、ＯＬＥＤ及び光学素子５ａ、５ｂ、５からなるアセンブリを超えて、これを覆っているからである。例えば、このフィルム７、７０が、（バルクで）着色されており、又は、その主面のうちの１つに、導電性機能性層７１（太陽光制御等）を担持している。
【０２２７】
例えば、バックウィンドウは、地面から、１２°と８０°との間の、例えば５０°と７０°との間の、方向を有している。
【０２２８】
例えば、フィルムが、光を、地面に向かって少なくとも１５°の角度でリダイレクトする。
【０２２９】
ＯＬＥＤ３は、第１グレージングの端部面を超えて延在するコネクタ３５を有し、ここでは、このコネクタが、入口表面の側で、その周縁部において、固定されている。
【０２３０】
ＯＬＥＤ３は、キャリア３’を有する背面発光ＬＥＤであり、キャリアが、Ｆ２面とは反対の側に、キャリアから出発して、下記を、下記の順番で、担持している：随意の機能性サブ層３１、透明アノード３２、有機エレクトロルミネッセントシステム３３、反射性カソード３４、及び、（樹脂）包囲層３６。
【０２３１】
図３ａは、本発明に従ってコリメートされかつリダイレクトされた光を提供するＯＬＥＤを有する単層デフレクター３００（固定されたサイドウィンドウ）の平面図である。
【０２３２】
図３ｂは、本発明に従ってコリメートされかつリダイレクトされた光を提供するＯＬＥＤを有するデフレクター（固定されたサイドウィンドウ）の断面図である。
【０２３３】
このデフレクターは、有機又は無機ガラスでできている透明第１グレージング１を有し、Ｆ１面及びＦ２面と呼ばれる面１１，１２、端部面１０、及び、（随意に湾曲している）グレージングの平面における水平に対して垂直であるいわゆる参照方向を、有する。これは、例えば、四辺形形状であり、比較的小さい幅の上方端部を有する。これは、マスキング層１５（黒色エナメル等）を有しており、この層は、例えば、Ｆ２面にあり、かつ、開口部１５ａを備えている。
【０２３４】
ＯＬＥＤ３が、開口部１５ａに面しており、内部側にあり、Ｆ２面に向かってＭＶイエローを照射し、かつ、少なくとも５ｃｍの長さ及び少なくとも１ｃｍの幅の照射領域を有し、好ましくは、１ｍｍ以下の厚みＥ０を有し、５０°〜７０°の頂部における照射半角、及び、上述のＯＬＥＤの平面に対して垂直な主要照射方向を有する。
【０２３５】
例えば、それは、矩形の（又は任意の他の形状の）、下方境界部にある、発光性ストリップである。
【０２３６】
ＯＬＥＤの出口表面に、周縁接着性結合６０によって、第１軸に沿って長さ方向に延在している上述のプリズムの配列を有する第１光学フィルム５ａが、固定されている（図３ｂ参照）。
【０２３７】
この第１フィルムの前方面に、周縁接着性結合６１によって、上述の第１軸に対して９０°の角度を形成している第２軸に沿って長さ方向に延在している第２のプリズムの配列を有する第２光学フィルム５ｂが、固定されており、第１又は第２軸が、参照方向に対して、ゼロの角度を形成している。
【０２３８】
この第２フィルムの前方面に、周縁接着性結合６２によって、参照方向において長さ方向に延在している長面５１及び短面５２を有する非対称プリズムの配列を有する第１リダイレクション光学フィルム５が、固定されている。
【０２３９】
長面に対する垂直Ｎが、Ｆ２面の方向に向いており、かつ、デフレクターの前方の方向に向いている（リダイレクションに関しては、後方の方向に向いている）。
【０２４０】
このリダイレクションフィルムの前方面が、周縁接着性結合６４によって、Ｆ２面に固定されている；これは、随意であり、なぜならば、ここでは、接着性物質６５を有する保護後方フィルム７、ここでは二重層７０、７１が、ＯＬＥＤ及び光学素子５ａ、５ｂ、５からなるアセンブリを超えて延在し、このアセンブリを覆っているからである。例えば、これは、着色されており、又は、導電性機能性（太陽光制御等）層７１を担持している。
【０２４１】
例えば、バックウィンドウが、地面から１２°と８０°との間に向いており、例えば５０°と７０°との間に向いている。
【０２４２】
例えば、フィルムが、光を、地面に向かって少なくとも１５°の角度で、リダイレクトする。
【０２４３】
ＯＬＥＤ３が、第１グレージングの端部面を超えて延在するコネクタ３５を有する。コネクタは、ここでは、入口表面の側で、その周縁部で、固定されている。
【０２４４】
変形態様として、これは、Ｆ４面への接着性結合を有する積層グレージングである。
【０２４５】
エナメルは、Ｆ２面又はＦ３面又はＦ４面にあってよい（それぞれ、開口部を有してよい）。
【０２４６】
図３ａの実施態様と関連して、図３ｃは、コリメーション光学素子及びリダイレクション光学素子を備えているＯＬＥＤ３の平面詳細図であり、コリメーション光学素子が、水平Ｈに沿って延在しているプリズムの配列からできており、かつ、リダイレクション光学素子５が、出口表面３０’の側で垂直に沿って延在する非対称プリズムの配列でできている。
【０２４７】
薄くかつ透明な光学フィルムが、好ましく、特には、２若しくは３又はそれ以上のフィルムのスタックが、好ましい。
【０２４８】
図３ａの実施態様と関連して、図３ｂは、コリメーション光学素子及びリダイレクション光学素子５を備えている、複数の隣り合っているＯＬＥＤ３の代替的な平面詳細図であり、ＯＬＥＤの間において、（非機能性）光学素子が、小さい幅を有してよく、又はさらにはゼロの幅を有してよく、テクスチャを有していても有していなくてもよい。
【０２４９】
図４ａは、本発明に従ってコリメートされかつリダイレクトされた光を提供するグレージング４００ａ（バックウィンドウ又はデフレクター又はウィンドシールド）の断面図である。
【０２５０】
この積層乗り物（特には自動車）バックウィンドウ４００ａが、下記を有している：
−  透明第１グレージング１、これは、無機又はさらには有機ガラスでできており、外側グレージングを形成しており、Ｆ１面及びＦ２面と呼ばれる主面１１，１２、端部面１０、及び、バックウィンドウの側方端部の間における水平であるいわゆる参照方向を、有する、
−  第２グレージング１’、これは、内側グレージングを形成しており、例えば、ＴＳＡ（又はクリア若しくは超クリア）ガラスでできており、特には、２．１ｍｍ若しくは１．６ｍｍの厚み、又はさらには１．１ｍｍ未満の厚みを有し（特には化学的に強化されているガラスであり）、それぞれＦ３面及びＦ４面と呼ばれる第３及び第４の主面１３、１４を有する、
−  積層グレージングの内部面１２、１３を形成するＦ２面とＦ３面との間にある、積層中間層２、２１、２２、これは、ポリマー材料でできており、ここでは、ＰＶＢでできており、最大２ｍｍ、又は１ｍｍ以下、好ましくは１ｍｍ以下、例えば慣用的なＰＶＢ（Ｓｏｌｕｔｉａ又はＥａｓｔｍａｎのＲＣ４１）に関して０．７６ｍｍの厚みを有し、又は、変形態様として、必要な場合には、例えば約０．８１ｍｍ厚の（三層又は４層の）音響ＰＶＢであり、（裸の又はコーティングされている）Ｆ２面と接着的な接触を形成するＦＢ面及びＦ２面に現れている開口部２ａを有するＰＶＢの層２１を、有する。このＰＶＢの端部面２０が、例えば２ｍｍで、グレージングの端部面から、奥まっている、
−  Ｆ４面及び／又は代替的にはＦ３面にある、例えば低放射性（ＩＴＯ等）の、随意の機能性層、これは、随意に、（加熱、低放射性等の）機能性層でコーティングされている、
−  好ましくは、Ｆ１面１１若しくはＦ３面又は好ましくはＦ２面１２さらにはＦ４面１４にある、例えば黒色エナメルでできている、内側及び外側周縁マスキング層１５’、１５。
【０２５１】
開放性開口部に、エレクトロルミネッセント素子が収容されており、エレクトロルミネッセント素子は、ＯＬＥＤ３（又はＱＬＥＤ又はＴＦＥＬ）であり、かつＭＶレッド光を照射することができ、それによって、停止ライト又は別のライトを形成し（又は、インジケーターサイドリピーターライトに関しては、ＭＶイエローを照射し）、又は、Ｆ２面１２に向かって照射される外部シンボル（ピクトグラム等）として機能し、上述のＯＬＥＤは、Ｆ２面の方に向いている出口表面３０、及び、開口部２ａの底部における、反対側の入口表面３０を、有する。ＯＬＥＤは、第１グレージングの端部面を超えて延在するコネクタ３５を有し、これは、ここでは、入口表面の側で、その周縁部において、固定されている。ＯＬＥＤは、例えば、背面発光ＬＥＤである。
【０２５２】
ＯＬＥＤ３に面して、下記が、下記の順番で、配置されている：
−  コリメーション光学素子４、これは、ＯＬＥＤの出口表面の側に後方面４０を有し、かつ、後方面とは反対側の前方面４０’を有する、
−  リダイレクション光学素子５、これは、出口表面の側に後方面を有し、かつ、後方面とは反対側の前方面を有する。
【０２５３】
変形態様として、ＯＬＥＤ３に面して、ホログラフィックリダイレクション光学素子が配置され、これは、出口表面の側の後方面、及び後方面とは反対側の前方面を、有する。
【０２５４】
開放性開口部２ａが、ＯＬＥＤ４及び光学素子４、５を包囲しており、さらにはその端部面と接触しており、又は、変形態様として、最大０．５ｍｍさらには最大０．１ｍｍで、端部面から離れている。
【０２５５】
例えば、下記が、製造の間に選択される：ＰＶＢでできており１つの貫通開口部（又は変形態様としてふさぎ開口部）を有する第１シート２１、及び、後方面３０の側のＰＶＢの後方第２シート２２。リフローによって、２つのシートを、可能であれば（ここでは点線で示されている）境界が可視的であるようにして、結合させる。必要であれば、ＯＬＥＤ３を、事前に、後方シート２２に、接着性結合６０によって、又はスポット加熱（及び圧力）によるポイント接着性接触を作り出すことによって、固定する。ポイント接着性接触は、ＯＬＥＤ３の区域の外で、２つのグレージング１、１’の間への設置の前又は後に、２つのシート２１、２２との間に、形成してよい。
【０２５６】
コリメーション光学素子４は、ここでは、プリズム性光学フィルムであり、又は、好ましくは、（特には単層である場合には）二次元の特徴構造を有するフィルムであり、これが、その周縁部において、両面接着性物質又はグルー６０によって、出口表面に（入口の側に空気で充填されたキャビティを形成して）固定される。例えば、これは、例えば０．３ｍｍ未満であるその厚みにおいて部分的にテクスチャ化されたプラスチックフィルムであり、ＰＥＴでできている。例えば、周期が、１６０μｍであり、高さが８０μｍであり、残りの厚みが、１７５μｍであり、頂部における角度及び谷側における角度が、９０°（＋−２０ａｒｃ）である。空気が、出口表面と、コリメーション光学素子のこの単層第１光学フィルムの入口面との間にある。空気が、コリメーション光学素子４の前方面の特徴構造（プリズム等）の間にある。特徴構造の頂部が、リダイレクション光学素子５との物理的な接触を形成している。
【０２５７】
リダイレクション光学素子５が、ここでは、非対称プリズム状光学フィルムであり、このフィルムが、光学素子４の前方面に（リダイレクション光学素子５の入口の側に、空気で充填されているキャビティを形成して）、押し付けられており、又は、好ましくはここでのように、その周縁部において、両面接着性物質又はグルー６０によって、固定されており、かつ、好ましくは、Ｆ２面に（出口側に空気で充填されたキャビティを形成して）、押し付けられており、又は、ここでのように、その周縁部を介して、両面接着性物質又はグルー６０によって、固定されている。空気が、リダイレクション光学素子の前方面のプリズムの間にある。特徴構造の頂部が、随意に、Ｆ２面１２との物理的な接触を形成している。２つのフィルムのスタック４、５は、非常に薄くてよい。
【０２５８】
図４ｂは、本発明に従ってコリメートされかつリダイレクトされた光を提供するグレージング４００ｂ（バックウィンドウ又はデフレクター又はウィンドシールド）の断面図である。
【０２５９】
この図は、図４ａとは、下記の点で異なる：コリメーション光学素子４及びリダイレクション光学素子５が、ＯＬＥＤ３よりも大きく、かつ開放性開口部よりも（第２シート２１の貫通開口部よりも）大きく、かつ、ここでは、ＰＶＢ２１の面に、接着性結合６２を介して、又は、積層の前にスポット加熱（及び圧力）によりポイント接着性接触を形成することによって、固定されている（、又は押し付けられている）。
【０２６０】
リダイレクション光学素子５は、ここでは、非対称プリズム状光学フィルムであり、光学素子４の前方面に（入口側に空気で充填されたキャビティを形成して）押し付けられており、又は好ましくは、ここでのように、その周縁部において、両面接着性物質又はグルー６０によって、固定されており、好ましくは、Ｆ２面１２に、押し付けられており、又は、ここでのように、その周縁部において、両面接着性物質又はグルー６０によって、固定されている。空気が、リダイレクション光学素子の前方面のプリズムの間にある。特徴構造の頂部が、随意に、Ｆ２面と物理的な接触を形成している。
【０２６１】
図４ｃは、本発明に従ってコリメートされかつリダイレクトされた光を提供するグレージング４００ｃ（バックウィンドウ又はデフレクター又はウィンドシールド）の断面図である。
【０２６２】
この図は、前の図とは、下記の点で異なる：コリメーション光学素子４及びリダイレクション光学素子５が、ここでも開放性開口部の中にあり、ＯＬＥＤ３よりも大きく、かつ、コリメーション光学素子４が、ＰＶＢ２２（後方ＰＶＢシート２２の前方面）に、スペーサを使用して又は使用しないで、接着性物質６１によって接着的に結合している。
【０２６３】
リダイレクション光学素子５が、Ｆ２面１２に、押し付けられており、又は、ここでのように、その周縁部において、両面接着性物質又はグルー６０によって、固定されている。
【０２６４】
図４ｄは、本発明に従ってコリメートされかつリダイレクトされた光を提供するグレージング４００ｄ（バックウィンドウ又はデフレクター又はウィンドシールド）の断面図である。
【０２６５】
この図は、図４ａとは、ＰＶＢにおける開口部が内部的であるという点で、異なる。例えば、製造の間に、前方ＰＶＢシート２３が、開口部を有するシート２１に、配置される（シート２１は、中央シートとなる）。
【０２６６】
積層の間に、フローが、リダイレクション光学素子５の光学的機能を抑制することを防止するために、局所的なプラスチック保護フィルム７、例えば０．３ｍｍ未満の厚みであるＰＥＴでできているフィルムを、その周縁部において、リダイレクションプリズム状光学フィルム５の前方面に、接着的に結合させる。
【０２６７】
このフィルム７は、カラーフィルターであってよい（白色のＯＬＥＤ及びレッド又はイエローのフィルター、など）。
【０２６８】
リダイレクション光学素子５は、ここでは、非対称プリズム状光学フィルムであり、これが、プラスチック保護フィルム７に、押し付けられており、又は、ここでのように、その周縁部において、両面接着性物質又はグルー６０によって、固定されている。
【０２６９】
図４ｅは、本発明に従ってコリメートかつリダイレクトされた光を提供するグレージング４００ｅ（バックウィンドウ又はデフレクター又はウィンドシールド）の断面図である。
【０２７０】
この図は、前の図とは、下記の点で異なる：プラスチック保護フィルム７が、例えば０．３ｍｍ未満の厚みを有しＰＥＴ製であるカバーフィルムであり、これが、その周縁部においてリダイレクションプリズム状光学フィルム５の前方面に接着的に結合しており、かつ／又は、単純に、開放性開口部を覆っている（閉じている）。これは、前方ＰＶＢ２３と接着的な接触を形成しており、例えば、前方ＰＶＢ２３と（積層前に、機能性ＰＥＴ／前方ＰＶＢで一緒に）事前アセンブルされており、かつ、（開口部区域の外において）ＰＶＢ２１と接着的な接触を形成している。
【０２７１】
このフィルム７、７１は、着色されていてよく、かつ／又は、Ｆ２面側又はＦ３面側において、導電性機能性コーティング７２、例えば太陽光制御、ｌｏｗ−Ｅ等、を有している。
【０２７２】
リダイレクション光学素子５は、ここでは、非対称プリズム状光学フィルムであり、プラスチック保護フィルム７に、押し付けられており、又は、ここでのように、その周縁部において、両面接着性物質又はグルー６０によって、固定されている。
【０２７３】
図５は、本発明に従ってコリメートされかつリダイレクトされた光を提供するＯＬＥＤを有するグレージング５００（バックウィンドウ又はデフレクター又はウィンドシールド）の断面図である。
【０２７４】
この図は、図４ｄとは、下記の点で異なる：同一の第２プリズム状光学フィルム４’が、追加されており、これが、プリズム状の第１フィルムに対してかつリダイレクション光学素子５に対して、９０°で交差しており、かつ、その周縁部において、接着的に結合されている６１（溶着されている、等）。
【０２７５】
リダイレクション光学素子５は、ここでは、非対称プリズム状光学フィルムであり、プラスチック保護フィルム７に、押し付けられており、又は、ここでのように、その周縁部において、両面接着性物質又はグルー６０によって、固定されている。
【０２７６】
図６ａは、本発明に従ってコリメートされかつリダイレクトされた光を提供するグレージング６００ａ（バックウィンドウ又はデフレクター又はウィンドシールド）の断面図である。
【０２７７】
この図は、図４ａとは、下記の点で異なる：コリメーション光学素子４（ここでも、例えばＰＥＴ製であり０．６ｍｍ未満の厚みを有する、テクスチャ化されたプラスチックフィルム）が、二次元の特徴構造を担持している。
【０２７８】
それぞれの二次元特徴構造が、側方部によって規定され、かつ、フィルムに対して垂直な平面Ｐにおいて、それぞれの二次元特徴構造が、６０°〜１１０°の範囲の頂部における角度を有し、側方部と平面Ｐとのそれぞれの交差部が、フィルムの平面と、３０°〜５５°の範囲の角度を形成する。好ましくは、９０°の（平面Ｐにおける）頂部における角度が選択され、かつ、４５°の他の角度が選択される。
【０２７９】
リダイレクション光学素子５は、ここでは、非対称プリズム状光学フィルムであり、これが、Ｆ２面に、押し付けられており、又は、ここでのように、その周縁部において、両面接着性物質又はグルー６０によって、固定されている。
【０２８０】
図６ｂは、本発明に従ってコリメートされかつリダイレクトされた光を提供するＯＬＥＤを備えるグレージング６００ｂの断面図である。
【０２８１】
この図は、図６ａとは、下記の点で異なる：コリメーション光学素子４が、ＯＬＥＤ３を包囲するスペーサ枠１６３ａに接着的に結合しており、このスペーサ枠が、例えば、後方ＰＶＢ２２に、押し付けられており、又は接着的に結合されている。
【０２８２】
図７ａは、本発明に係る乗り物グレージングを製造する目的で、積層の間ではなく、コリメーション光学素子４及びリダイレクション光学素子５を有するＯＬＥＤ３を、第１ＰＶＢ積層中間層シート２２に取り付ける工程を示す図である。
【０２８３】
コリメーション光学素子（プリズム状フィルム、又は、交差しており若しくは二次元特徴構造を有している２つのフィルム）を、ＯＬＥＤ３に、周縁的な接着性結合によって、事前に取り付け、かつ、リダイレクション光学素子５を、コリメーション光学素子に取り付ける。
【０２８４】
第２シート２１を、使用する。これは、アセンブリを収容する貫通開口部を有し、かつ、（ＯＬＥＤ３の入口表面の側に）突出するコネクタ３５を、有する。これら全体を、後方シート２２（面２２ｂ）に配置する。局所的な接着性接触を、随意に、加熱及び／又は圧力（ローラー）によって、ＰＶＢ２１とＰＶＢ２２との間に、ＯＬＥＤ区域の外で、又は、ＯＬＥＤとＰＶＢ２２との間で、かつ／又は、コネクタとＰＶＢ２１，２２との間で、形成する。
【０２８５】
変形態様として、開口部を有するシートを、まず、定位置に配置し、その一部を除去し、それによって、ＯＬＥＤ及び光学素子からなるアセンブリを１又は複数の標識された区域に配置することを、可能にする。
【０２８６】
第３ＰＶＢシートを出口表面の側で追加する（前方ＰＶＢ）場合には、カバーフィルム又は局所的な保護フィルムを、リダイレクション光学素子と、この前方ＰＶＢシートの後方面との間に使用することが必要である。例えば、（着色されていてもよい、白色ＯＬＥＤ）薄い透明プラスチックフィルム、さらには機能性層を有するフィルムを、使用することができる。
【０２８７】
図７ｂは、本発明に係る乗り物グレージングを製造する目的で、積層の間ではなく、コリメーション光学素子及びリダイレクション光学素子を有するＯＬＥＤを、第１ＰＶＢ積層中間層シートに取り付ける工程を示す図である。
【０２８８】
この図は、前の図とは、下記の点で異なる：ＯＬＥＤの後方表面が、後方シート２２に、接着性結合６０によって、固定されている。
【０２８９】
第３ＰＶＢシートを出口表面の側に追加する（前方ＰＶＢ）場合には、カバーフィルム又は局所的な保護フィルムを、リダイレクション光学素子５と、この前方ＰＶＢシートの後方面との間に使用することが必要である。例えば、薄い透明のプラスチックフィルム、さらには機能性層を有するフィルムを、追加してよい。
【０２９０】
図７ｃは、本発明に係る乗り物グレージングを製造する目的で、積層の間ではなく、コリメーション光学素子及びリダイレクション光学素子を有するＯＬＥＤを、第１ＰＶＢ積層中間層シートに取り付ける工程を示す図である。
【０２９１】
この図は、前の図とは、（ここでもまた）貫通又はふさぎ開口部を有する第２シートを使用していない点が、異なる。
【０２９２】
ＯＬＥＤの配置を支援するために、参照マーク９１を有するフィルム９０を使用する。このフィルムは、非粘着性であり、２２ａ面に対向しており、又は透明な（ガラスの）積層テーブルの反対側に、対向している。
【０２９３】
第３ＰＶＢシートを出口表面の側に追加する（前方ＰＶＢ）場合には、カバーフィルム又は局所的な保護フィルムを、リダイレクション光学素子５と、この前方ＰＶＢシートの後方面との間に使用することが必要である。例えば、薄い透明のプラスチックフィルム、さらには機能性層を有するフィルムを、追加してよい。
【０２９４】
図７ｄは、本発明に係る乗り物グレージングを製造する目的で、積層の間ではなく、コリメーション光学素子及びリダイレクション光学素子を有するＯＬＥＤを、第１ＰＶＢ積層中間層シートに取り付ける工程を示す図である。
【０２９５】
この図は、図７ａとは、下記の点で異なる：コリメーション光学素子４及びリダイレクション光学素子５が、ＰＶＢ２１の貫通穴部２５よりも大きく、かつ、コリメーション光学素子４を、開口部を有するＰＶＢシート２１の前方面に対して、接着性結合、又は変形態様として接着性接触を作り出す（加熱及び／又は圧力）ことによって、固定する。光学素子４で、穴部を閉じ、かつ、光学素子４を、ＯＬＥＤ３から離す。
【０２９６】
第３ＰＶＢシートを出口表面の側に追加する（前方ＰＶＢ）場合には、カバーフィルム又は局所的な保護フィルムを、リダイレクション光学素子と、この前方ＰＶＢシートの後方面との間に使用することが必要である。例えば、薄い透明のプラスチックフィルム、さらには機能性層を有するフィルムを、追加してよい。
【０２９７】
図７ｅは、本発明に係る乗り物グレージングを製造する目的で、積層の間ではなく、コリメーション光学素子及びリダイレクション光学素子を有するＯＬＥＤを、第１ＰＶＢ積層中間層シートに取り付ける工程を示す図である。
【０２９８】
この図は、図７ｃとは、下記の点で異なる：ＯＬＥＤよりも大きいコリメーション光学素子４を、後方シート２２の前方面に対して、接着性結合５２によって、スペーサあり又はなしで、固定している。
【０２９９】
第３ＰＶＢシートを出口表面の側に追加する（前方ＰＶＢ）場合には、カバーフィルム又は局所的な保護フィルムを、リダイレクション光学素子５と、この前方ＰＶＢシートの後方面との間に使用することが必要である。例えば、薄い透明のプラスチックフィルム、さらには機能性層を有するフィルムを、追加してよい。
【０３００】
図７ｆは、本発明に係る乗り物グレージングを製造する目的で、積層の間ではなく、コリメーション光学素子及びリダイレクション光学素子を有するＯＬＥＤを、第１ＰＶＢ積層中間層シートに取り付ける工程を示す図である。
【０３０１】
この図は、図７ｂとは、下記の点で異なる：第２ＰＶＢシート２３が、ふさぎ開口部２５を有しており、リダイレクション光学素子５の底部を、開口部の中で、局所的な保護プラスチックフィルムによって、保護している。
【０３０２】
図７ｇは、本発明に係る乗り物グレージングを製造する目的で、積層の間ではなく、コリメーション光学素子及びリダイレクション光学素子を有するＯＬＥＤを、第１ＰＶＢ積層中間層シートに取り付ける工程を示す図である。
【０３０３】
この図は、図７ｆとは、下記の点で異なる：保護フィルムを、底部に、接着的に結合することによって、又は、局所的な接着性接触を作り出す（加熱及び／又は圧力）ことによって、接着的に結合させている。
【図１】
2021504911.tif 000003
【図１−１】
2021504911.tif 000004
【図１−２】
2021504911.tif 000005
【図１ａ】
2021504911.tif 000006
【図１ｉ】
2021504911.tif 000007
【図１ｊ】
2021504911.tif 000008
【図１ｋ】
2021504911.tif 000009
【図１ｌ】
2021504911.tif 000010
【図１Ｘ】
2021504911.tif 000011
【図１Ｙ】
2021504911.tif 000012
【図１Ｚ】
2021504911.tif 000013
【図２】
2021504911.tif 000014
【図３ａ】
2021504911.tif 000015
【図３ｂ】
2021504911.tif 000016
【図３ｃ】
2021504911.tif 000017
【図３ｄ】
2021504911.tif 000018
【図４ａ】
2021504911.tif 000019
【図４ｂ】
2021504911.tif 000020
【図４ｃ】
2021504911.tif 000021
【図４ｄ】
2021504911.tif 000022
【図４ｅ】
2021504911.tif 000023
【図５】
2021504911.tif 000024
【図６ａ】
2021504911.tif 000025
【図６ｂ】
2021504911.tif 000026
【図７ａ】
2021504911.tif 000027
【図７ｂ】
2021504911.tif 000028
【図７ｃ】
2021504911.tif 000029
【図７ｄ】
2021504911.tif 000030
【図７ｅ】
2021504911.tif 000031
【図７ｆ】
2021504911.tif 000032
【図７ｇ】
2021504911.tif 000033
【国際調査報告】
2021504911.tif 000034
2021504911.tif 000035
2021504911.tif 000036
2021504911.tif 000037